(57)【要約】【課題】荷重測定センサを取り付ける取り付けブラケットを、車両フロアまたはレール部材に対して強固に取り付け可能とし、荷重測定センサを安定して取り付けることが可能な取付構造を実現する。【解決手段】シートフレームＦを有するシートＺからの荷重を検出するセンサ本体３２と、センサ本体３２の側方から延出した延出軸部３１とを備えた荷重測定センサ３０を、延出軸部３１が水平方向に沿った状態で、取り付けブラケット１５，１６に取り付ける取付構造であって、取り付けブラケット１５，１６の荷重測定センサ３０が取り付けられる部分を挟む位置には、取り付けブラケット１５，１６を他部品に取り付けるための第１の取り付け部材１８ａと第２の取り付け部材１８ｂが配設されている。【選択図】図９
2013035522.tif 000002
【特許請求の範囲】
【請求項１】
シートフレームを有するシートからの荷重を検出するセンサ本体と、該センサ本体の側方から延出した延出軸部とを備えた荷重測定センサを、前記延出軸部が水平方向に沿った状態で、取り付けブラケットに取り付ける取付構造であって、
前記取り付けブラケットの前記荷重測定センサが取り付けられる部分を挟む位置には、前記取り付けブラケットを他部品に取り付けるための第１の取り付け部材と第２の取り付け部材が配設されることを特徴とする荷重測定センサを取り付ける取付構造。
【請求項２】
前記第１の取り付け部材及び前記第２の取り付け部材は、前記荷重測定センサを介して前記シートの前後方向で対向して配設されると共に、前記取り付けブラケットの前記荷重測定センサが取り付けられる部分に対して前記シートの幅方向で離間して配設されることを特徴とする請求項１に記載の荷重測定センサを取り付ける取付構造。
【請求項３】
前記第１の取り付け部材及び前記第２の取り付け部材の上端の高さは、互いに等しいことを特徴とする請求項１または２に記載の荷重測定センサを取り付ける取付構造。
【請求項４】
前記シートフレームは、前記シートの幅方向に離間して配設されるサイドフレームを有する着座フレームを備え、
前記取り付けブラケットは、前記シートの前後方向に沿って伸びたレール部材の上に取り付けられると共に前記荷重測定センサが取り付けられる立壁部を有し、
該立壁部は、前記サイドフレームよりも前記幅方向外側に前記前後方向に沿って配設され、
前記サイドフレームは、前記第１の取り付け部材及び前記第２の取り付け部材の中心軸よりも前記幅方向外側に配設されることを特徴とする請求項１乃至３のいずれか一項に記載の荷重測定センサを取り付ける取付構造。
【請求項５】
前記取り付けブラケットは、前記シートの前後方向に沿って伸びたレール部材の長手方向に沿って該レール部材の上に配設されると共に前記延出軸部が前記シートの幅方向外側に向かって挿通されることにより前記荷重測定センサが取り付けられる立壁部を有し、
該立壁部は、前記延出軸部が取り付けられる部分に、前記シートの幅方向内側に向かって凹設された凹部を有することを特徴とする請求項１乃至４のいずれか一項に記載の荷重測定センサを取り付ける取付構造。
【請求項６】
前記シートフレームは、前記シートの幅方向に離間して配設されるサイドフレームを有する着座フレームを備え、
前記取り付けブラケットは、前記シートの前後方向に沿って伸びたレール部材の長手方向に沿って該レール部材の上に取り付けられると共に前記荷重測定センサが取り付けられる立壁部を有し、
前記第１の取り付け部材及び前記第２の取り付け部材の中心軸は、前記サイドフレームよりも前記幅方向内側に配設され、
前記立壁部は、前記サイドフレームよりも前記幅方向外側であって、前記レール部材の前記幅方向外側端部よりも内側に配設されることを特徴とする請求項１乃至５のいずれか一項に記載の荷重測定センサを取り付ける取付構造。
【請求項７】
前記取り付けブラケットは、前記シートの前後方向に沿って伸びたレール部材の長手方向に沿って該レール部材の上に配設されると共に前記延出軸部が前記シートの幅方向外側に向かって挿通されることにより前記荷重測定センサが取り付けられる立壁部を有し、
前記延出軸部は、該延出軸部に螺合する締結部材によって前記立壁部に取り付けられ、
該立壁部は、前記延出軸部の軸方向で前記締結部材と重なる位置において前記シートの幅方向内側に向かって突出する凸部を有することを特徴とする請求項１乃至６のいずれか一項に記載の荷重測定センサを取り付ける取付構造。
【請求項８】
前記シートフレームは、前記サイドフレームと連結されるシートバックフレームをさらに有し、
前記サイドフレームは、前記シートバックフレームと連結される連結部と、該連結部よりも前記シートの幅方向外側に向かって突出する外方突出部とを有し、
前記立壁部の少なくとも一部は、前記外方突出部に対して前記幅方向で重なる位置に配設されることを特徴とする請求項４乃至７のいずれか一項に記載の荷重測定センサを取り付ける取付構造。
【請求項９】
前記第１の取り付け部材及び前記第２の取り付け部材は、前記シートの前後方向において、前記外方突出部の幅よりも内側に配設されていることを特徴とする請求項８に記載の荷重測定センサを取り付ける取付構造。
【請求項１０】
前記外方突出部は、下方へ張り出した張り出し部を有し、
前記幅方向において、前記第１の取り付け部材及び前記第２の取り付け部材は、前記張り出し部を避けた位置に配設されることを特徴とする請求項８または９に記載の荷重測定センサを取り付ける取付構造。
【請求項１１】
前記シートフレームは、前記シートの幅方向に離間して配設されるサイドフレームを有する着座フレームを備え、
前記サイドフレームは、前記幅方向において、前記第１の取り付け部材または前記第２の取り付け部材のうち、少なくともいずれか一方と前記サイドフレームとが重ならないように一部を除去した除去部が設けられていることを特徴とする請求項１乃至１０のいずれか一項に記載の荷重測定センサを取り付ける取付構造。
【請求項１２】
前記サイドフレームは下方へ張り出した張り出し部を有し、
前記取り付けブラケットは、前記立壁部の下方から折り曲げられて延出する底壁部と、
前記シートの幅方向において前記底壁部の前記立壁部が位置する側とは反対側の端部から上方へ突出する上方突出壁と、をさらに備え、
該上方突出壁は、前記幅方向において前記張り出し部と重ならない範囲内で延設されることを特徴とする請求項４乃至１１のいずれか一項に記載の荷重測定センサを取り付ける取付構造。
【発明の詳細な説明】
【技術分野】
【０００１】
本発明は、荷重測定センサを取り付ける取付構造に係り、特に、荷重測定センサに備えられた延出軸部が水平方向に沿った状態で荷重測定センサを取り付ける取付構造に関する。
【背景技術】
【０００２】
乗員の安全性や着座時の快適性等の向上を目的として、着座する乗員の重量に応じて車両用シートの周辺機器の動作を制御する技術が提案されている。このような技術では、一般に、着座する乗員の重量を検出するため、乗員が着座する車両用シートの下方に荷重測定センサが配置される。
【０００３】
荷重測定センサの配置位置は、車両用シートの下方に配置されるものが一般的であり、例えば、車両用シートを前後方向にスライドさせるために設けられるスライドレールと、車両用シートを構成するシートフレームの間に配置されたものがある（特許文献１）。
【０００４】
特許文献１では、図１６に示すように、車体フロアに取り付けられるロアレール１１１（特許文献１では「レール本体」と記載されている）に対して摺動するアッパレール１１２（特許文献１では「スライダ」と記載されている）の上方に荷重測定センサ１３０（特許文献１では「荷重センサ」と記載されている）が取り付けられており、この荷重測定センサ１３０の上方にシートフレーム１０１が配設された構成が開示されている。なお、図１６は、特許文献１に開示された車両用シートを示す図である。
【０００５】
そして、図１７に示すように、荷重測定センサ１３０をシートフレーム１０１に取り付けるために軸部１３１（特許文献１では「雄ネジ」と記載されている）が備えられており、軸部１３１の軸方向が垂直方向になるように配設されている。図１７は、特許文献１に開示された荷重測定センサ取付構造を示す図である。
【０００６】
ところで、近年では、乗員の乗降性やデザイン性を向上させるため、車両用シートの高さを低くする技術が求められているが、上記構成で荷重測定センサ１３０を取り付けた場合、シートフレーム１０１が荷重測定センサ１３０の高さ分だけ高く配設され、車両用シートの高さが高くなるという不都合があった。
【０００７】
上記の問題に対して、荷重測定センサを取り付けるための軸部の軸方向を垂直方向とするのではなく、水平方向に配設する技術が提案されている（特許文献２、特許文献３）。
特許文献２及び特許文献３では、荷重測定センサ（特許文献２では「歪検出装置」、特許文献３では「体重感知センサ」と記載されている）は、軸方向が水平方向となるように取り付けられており、シートフレームの高さ範囲内に収まるように荷重測定センサが配設されているため、特許文献１の技術よりも、車両用シートの高さを低くすることができる。
【先行技術文献】
【特許文献】
【０００８】
【特許文献１】特許第４２０５０２８号公報
【特許文献２】特開２００７−２７１３０３号公報
【特許文献３】特開２０１０−４２８０９号公報
【発明の概要】
【発明が解決しようとする課題】
【０００９】
特許文献２では、荷重測定センサを取り付けるために、車両用シートの前後方向に亘って一体で形成された支持部に対し、荷重測定センサの一端が挿通された状態で、支持部が車両の床面（車両フロア）に取り付けられた構成が開示されている。したがって、荷重測定センサを取り付けるための支持部が大型であり、重量が増加するという不都合があった。
【００１０】
また、特許文献３では、車両用シートを前後方向にスライド可能とするために設けられるスライディングブラケットに配置された第２ブラケットに対して、荷重測定センサの一端が挿通された状態で、スライディングブラケットがガイドブラケット（以下、総称して「レール部材」とする）に対してスライド可能となるように取り付けられた構成が開示されている。
【００１１】
以上のように、引用文献２及び引用文献３では、荷重測定センサの取付構造において、荷重測定センサが取り付けられる部材（以下、「取り付けブラケット」と称する）は、それぞれ、車両フロア、またはレール部材に対して締結部材によって取り付けられている。
そして、引用文献２及び引用文献３では、車両フロア、またはレール部材に対し、取り付けブラケットを締結部材等の取り付け部材によって取り付ける場合、一つの荷重測定センサに対して前方または後方のいずれか一方においてのみ取り付け部材が配設されている。したがって、荷重測定センサを取り付ける取り付けブラケットを車両フロアまたはレール部材に対して強固に取り付けることが難しく、荷重測定センサが安定して取り付けにくいという不都合があった。
【００１２】
そこで、本発明は、上記の課題に鑑みてなされたものであり、その目的は、荷重測定センサを取り付ける取り付けブラケットを、車両フロアまたはレール部材に対して強固に取り付け可能とし、荷重測定センサを安定して取り付けることが可能な取付構造を実現することにある。
【課題を解決するための手段】
【００１３】
前記課題は、本発明の荷重測定センサを取り付ける取付構造によれば、シートフレームを有するシートからの荷重を検出するセンサ本体と、該センサ本体の側方から延出した延出軸部とを備えた荷重測定センサを、前記延出軸部が水平方向に沿った状態で、取り付けブラケットに取り付ける取付構造であって、前記取り付けブラケットの前記荷重測定センサが取り付けられる部分を挟む位置には、前記取り付けブラケットを他部品に取り付けるための第１の取り付け部材と第２の取り付け部材が配設されること、により解決される。
【００１４】
上記の取付構造であれば、荷重測定センサが取り付けられる取り付けブラケットが備えられており、さらに、その取り付けブラケットを他部品に取り付けるために備えられる取り付け部材（第１の取り付け部材及び第２の取り付け部材）が備えられている。そして、取り付けブラケットに備えられた一つの荷重測定センサ（より詳細には、荷重測定センサが取り付けられる部分）に対し、当該センサを挟み込むように取り付け部材が配設されるため、取り付けブラケットを他部品（車体フロアやレール部材）に対して強固に取り付けることができる。また、取り付けブラケットが他部品に対して強固に取り付けられるので、安定して荷重測定センサを取り付けることができる。
【００１５】
また、上記の取付構造において、前記第１の取り付け部材及び前記第２の取り付け部材は、前記荷重測定センサを介して前記シートの前後方向で対向して配設されると共に、前記取り付けブラケットの前記荷重測定センサが取り付けられる部分に対して前記シートの幅方向で離間して配設されると、好適である。
かかる構成であれば、取り付け部材（第１の取り付け部材及び第２の取り付け部材）は、それぞれ前後方向において対向するように取り付けられる。そして、取り付け部材は、取り付けブラケットの荷重測定センサが取り付けられる部分に対してシートの幅方向で離間して配設される。したがって、取り付け部材を取り付ける際、取り付け部材の周辺部の空間が確保しやすくなり、取り付け部材と荷重測定センサとが干渉しにくくなるため、容易に取り付け部材を取り付けることが可能になる。
【００１６】
さらに、上記の取付構造において、前記第１の取り付け部材及び前記第２の取り付け部材の上端の高さは、互いに等しいと、より望ましい。
このように、第１の取り付け部材及び第２の取り付け部材の上端の高さを互いに等しくすることにより、取付構造が高さ方向に大型化するのを抑制することができる。その結果、車両用シートの高さが高くなることを抑制する。
【００１７】
また、上記の取付構造において、前記シートフレームは、前記シートの幅方向に離間して配設されるサイドフレームを有する着座フレームを備え、前記取り付けブラケットは、前記シートの前後方向に沿って伸びたレール部材の上に取り付けられると共に前記荷重測定センサが取り付けられる立壁部を有し、該立壁部は、前記サイドフレームよりも前記幅方向外側に前記前後方向に沿って配設され、前記サイドフレームは、前記第１の取り付け部材及び前記第２の取り付け部材の中心軸よりも前記幅方向外側に配設されると、好適である。
かかる構成であれば、レール部材上に取り付けられる取り付けブラケットにおいて、前後方向に延設される立壁部が備えられており、当該立壁部は着座フレームのサイドフレームよりも内側に配設される。そして、着座フレームにおいて、サイドフレームが取り付け部材（第１の取り付け部材及び第２の取り付け部材）の中心軸よりもシート幅方向外側に配設される。その結果、着座フレームにおいてシート幅方向内側の空間が狭くなることを抑制することができ、着座フレームのシート幅方向内側に配設される部材を取り付けやすくなる。
【００１８】
さらに、上記の取付構造において、前記取り付けブラケットは、前記シートの前後方向に沿って伸びたレール部材の長手方向に沿って該レール部材の上に配設されると共に前記延出軸部が前記シートの幅方向外側に向かって挿通されることにより前記荷重測定センサが取り付けられる立壁部を有し、該立壁部は、前記延出軸部が取り付けられる部分に、前記シートの幅方向内側に向かって凹設された凹部を有すると、より好適である。
かかる構成であれば、取り付けブラケットに備えられ、前後方向に延設された立壁部は、荷重測定センサの延出軸部が挿通される部分において、取り付けブラケットの立壁部がシートの幅方向内側へ向かって凹んでいる。したがって、この凹部に対してシート幅方向外側に向かって延出軸部を挿通させて荷重測定センサを取り付けることにより、延出軸部がシートの幅方向外側に突出する長さ（幅）を短くすることができる。したがって、荷重測定センサをシート幅方向においてコンパクトに取り付けることができる。
【００１９】
さらに、上記の取付構造において、前記シートフレームは、前記シートの幅方向に離間して配設されるサイドフレームを有する着座フレームを備え、前記取り付けブラケットは、前記シートの前後方向に沿って伸びたレール部材の長手方向に沿って該レール部材の上に取り付けられると共に前記荷重測定センサが取り付けられる立壁部を有し、前記第１の取り付け部材及び前記第２の取り付け部材の中心軸は、前記サイドフレームよりも前記幅方向内側に配設され、前記立壁部は、前記サイドフレームよりも前記幅方向外側であって、前記レール部材の前記幅方向外側端部よりも内側に配設されると、より一層好適である。
かかる構成であれば、取り付け部材（第１の取り付け部材及び第２の取り付け部材）の中心軸がサイドフレームよりもシート幅方向内側に配設されており、さらに、取り付けブラケットに備えられ、前後方向に延設された立壁部は、サイドフレームよりもシート幅方向外側、且つレール部材のシート幅方向外側端部よりも内側に配設されているため、着座フレームがシート幅方向において外側に大型化するのを抑制することができる。
【００２０】
また、上記の取付構造において、前記取り付けブラケットは、前記シートの前後方向に沿って伸びたレール部材の長手方向に沿って該レール部材の上に配設されると共に前記延出軸部が前記シートの幅方向外側に向かって挿通されることにより前記荷重測定センサが取り付けられる立壁部を有し、前記延出軸部は、該延出軸部に螺合する締結部材によって前記立壁部に取り付けられ、該立壁部は、前記延出軸部の軸方向で前記締結部材と重なる位置において前記シートの幅方向内側に向かって突出する凸部を有すると、好適である。
かかる構成であれば、荷重測定センサを取り付けるための締結部材を剛性の高い部分、すなわち、立壁部に備えられた凸部に取り付けることができるので、荷重測定センサを強固に、且つ安定して取り付けることができる。
【００２１】
また、上記の取付構造において、前記シートフレームは、前記サイドフレームと連結されるシートバックフレームをさらに有し、前記サイドフレームは、前記シートバックフレームと連結される連結部と、該連結部よりも前記シートの幅方向外側に向かって突出する外方突出部とを有し、前記立壁部の少なくとも一部は、前記外方突出部に対して前記幅方向で重なる位置に配設されると、好適である。
かかる構成であれば、取り付けブラケットに備えられ、前後方向に延設された立壁部の一部を、サイドフレームがシート幅方向外側に突出した部分、すなわち外方突出部に対してシート幅方向で重なる位置に配置することにより、取り付けブラケットと外方突出部との距離が小さくなり、荷重測定センサをコンパクトに取り付け可能である。
【００２２】
また、上記の取付構造において、前記第１の取り付け部材及び前記第２の取り付け部材は、前記シートの前後方向において、前記外方突出部の幅よりも内側に配設されていると、好適である。
かかる構成であれば、シートの前後方向において外方突出部の範囲内に取り付け部材（第１の取り付け部材及び第２の取り付け部材）が収まるように配設されることにより、第１の取り付け部材及び第２の取り付け部材周辺に他部材が設置されることなく、取り付け部材の周辺部において空間が広くなるため、第１の取り付け部材及び第２の取り付け部材の締結作業や取付状態の確認を容易に行うことができ、取り付け作業の作業性を向上させることができる。
【００２３】
また、上記の取付構造において、前記外方突出部は、下方へ張り出した張り出し部を有し、前記幅方向において、前記第１の取り付け部材及び前記第２の取り付け部材は、前記張り出し部を避けた位置に配設されると、好適である。
かかる構成であれば、サイドフレームの張り出し部と、サイドフレームの下方に備えられた取り付け部材（第１の取り付け部材及び第２の取り付け部材）とが干渉しにくくなるため、シートの組み付け作業を容易に行うことができる。
【００２４】
また、上記の取付構造において、前記シートフレームは、前記シートの幅方向に離間して配設されるサイドフレームを有する着座フレームを備え、前記サイドフレームは、前記幅方向において、前記第１の取り付け部材または前記第２の取り付け部材のうち、少なくともいずれか一方と前記サイドフレームとが重ならないように一部を除去した除去部が設けられていると、好適である。
かかる構成であれば、サイドフレームにおいて除去部を備えることにより、サイドフレームと取り付け部材（第１の取り付け部材または第２の取り付け部材、若しくは両方）とがさらに干渉しにくくなるため、シートの組み付け作業をより容易に行うことができる。
【００２５】
また、上記の取付構造において、前記サイドフレームは下方へ張り出した張り出し部を有し、前記取り付けブラケットは、前記立壁部の下方から折り曲げられて延出する底壁部と、前記シートの幅方向において前記底壁部の前記立壁部が位置する側とは反対側の端部から上方へ突出する上方突出壁と、をさらに備え、該上方突出壁は、前記幅方向において前記張り出し部と重ならない範囲内で延設されると、好適である。
かかる構成であれば、取り付けブラケットが立壁部、底壁部、上方突出壁を備えることにより、断面Ｕ字状に形成されるため、一枚の板部材で構成される場合と比較して、取り付けブラケットの剛性が向上する。さらに、上方突出壁は、シート幅方向において、サイドフレームと重ならない範囲内で延設されているため、上方突出壁とサイドフレームとが干渉しにくく、シートの組み付け作業を容易に行うことが可能となる。
【発明の効果】
【００２６】
請求項１の発明によれば、取り付けブラケットを他部品に取り付けるために備えられる取り付け部材が、荷重測定センサを挟み込むように配設されるため、取り付けブラケットを他部品（車体フロアやレール部材）に対して強固に取り付けることができる。また、取り付けブラケットが他部品に対して強固に取り付けられるので、安定して荷重測定センサを取り付けることができる。
請求項２の発明によれば、取り付け部材を取り付ける際、荷重測定センサが取り付け部材と干渉しにくくなるため、容易に取り付け部材を取り付けることが可能になる。
請求項３の発明によれば、取り付け部材の上端の高さを互いに等しくすることにより、取付構造が高さ方向に大型化するのを抑制することができる。その結果、車両用シートの高さが高くなることを抑制する。
請求項４の発明によれば、着座フレームにおいて、シート幅方向内側の空間が狭くなることを抑制することができ、着座フレームのシート幅方向内側に配設される部材を取り付けやすくなる。
請求項５の発明によれば、荷重測定センサの延出軸部が、シートの幅方向外側に突出する長さを短くすることができる。したがって、荷重測定センサをシート幅方向においてコンパクトに取り付けることができる。
請求項６の発明によれば、着座フレームがシート幅方向において外側に大型化するのを抑制することができる。
請求項７の発明によれば、荷重測定センサを取り付けるための締結部材を剛性の高い部分で取り付けることができるので、荷重測定センサを強固に、且つ安定して取り付けることができる。
請求項８の発明によれば、取り付けブラケットの一部を、サイドフレームがシート幅方向外側に突出した部分に対してシート幅方向で重なる位置に配置することにより、取り付けブラケットと外方突出部との距離が小さくなり、荷重測定センサをコンパクトに取り付け可能である。
請求項９の発明によれば、前後方向において外方突出部の範囲内に第１の取り付け部材及び第２の取り付け部材が収まるように配設されることにより、第１の取り付け部材及び第２の取り付け部材の締結作業や取付状態の確認を容易に行うことができ、取り付け作業の作業性を向上させることができる。
請求項１０の発明によれば、サイドフレームの張り出し部と取り付け部材とが干渉しにくくなるため、シートの組み付け作業を容易に行うことができる。
請求項１１の発明によれば、サイドフレームと取り付け部材とがさらに干渉しにくくなるため、シートの組み付け作業をより容易に行うことができる。
請求項１２の発明によれば、取り付けブラケットが断面コ字状に形成されるため、取り付けブラケットの剛性が向上する。さらに、上方突出壁は、シート幅方向において、サイドフレームと重ならない範囲で延設されているため、上方突出壁とサイドフレームとが干渉しにくく、シートの組み付け作業を容易に行うことが可能となる。
【図面の簡単な説明】
【００２７】
【図１】車両用シートの外観図である。
【図２】シートフレームの斜視図である。
【図３】シートユニットを示す斜視図である。
【図４】シートユニットの展開図である。
【図５】荷重測定センサの取付構造を示す図である。
【図６Ａ】サイドフレームを示す斜視図である（その１）。
【図６Ｂ】サイドフレームを示す斜視図である（その２）。
【図７】レール部材を示す斜視図である。
【図８】取り付けブラケットとサイドフレームとを連結する様子を示す図である。
【図９】取り付け位置に取り付けられた状態の荷重測定センサを側方から見た図である。
【図１０】センサ取付用部品の各々を示す部品図である。
【図１１】図５中の、荷重測定センサの周辺を示す拡大図である。
【図１２】サイドフレームの、穴部周りの拡大図である。
【図１３】荷重測定センサとＳバネとの間の位置関係を示す図である。
【図１４】荷重測定センサとサブマリン抑制パイプとの間の位置関係を示す図である。
【図１５】延出軸部の改良例を示す断面図である。
【図１６】特許文献１に開示された車両用シートを示す図である。
【図１７】特許文献１に開示された荷重測定センサ取付構造を示す図である。
【発明を実施するための形態】
【００２８】
以下、本発明の一実施形態（本実施形態）に係る荷重測定センサの取付構造について、図１〜図１５を参照しながら説明する。ここで、本実施形態の荷重測定センサは、車両用シートＺに乗員が着座した際の荷重を測定するものであり、以下の説明では、当該荷重測定センサを所定の姿勢にて所定の取り付け位置に取り付けるための取付構造に関して説明する。
【００２９】
図１は、車両用シートの外観図である。図２は、シートフレームの斜視図である。図３は、シートユニットを示す斜視図である。図４は、シートユニットの展開図である。図５は、荷重測定センサの取付構造を示す図であり、荷重測定センサ周辺の断面を示した図である。図６Ａ及び図６Ｂは、サイドフレームを示す斜視図であり、図６Ａは、サイドフレームの内側表面を示しており、図６Ｂは、サイドフレームの外側表面を示している。図７は、レール部材を示す斜視図である。図８は、取り付けブラケットとサイドフレームとを連結する様子を示す図である。図９は、取り付け位置に取り付けられた状態の荷重測定センサを側方から見た図である。図１０は、センサ取付用部品の各々を示す部品図である。図１１は、図５中の、荷重測定センサの周辺を示す拡大図である。図１２は、サイドフレームの、穴部周りの拡大図である。図１３は、荷重測定センサとＳバネとの間の位置関係を示す図である。図１４は、荷重測定センサとサブマリン抑制パイプとの間の位置関係を示す図である。図１５は、延出軸部の改良例を示す断面図である。
【００３０】
なお、図中の記号ＦＲは車両前方を示し、記号ＲＲは車両後方を示している。また、以下の説明において、車両用シートＺの幅方向とは、車両前方を向いた状態での左右方向であり、水平方向に相当する。また、図４では、図示の都合上、後述のセンサ取付用部品４０については図示を省略した。
【００３１】
本実施形態において、荷重測定センサ（以下、センサ３０）は、前述したように、車両用シートＺに乗員が着座した際の荷重を測定するものである。その測定結果は、電気信号としてセンサ３０（具体的には、センサ本体３２に備えられた基板ユニット中の基板）から出力され、当該出力信号が不図示の受信部に受信される。その後、受信した出力信号に基づき、車両用シートＺへの乗員の着座の有無、及び、着座している乗員が大人であるか子供であるか等の判定が行われる。そして、当該判定結果は、例えば、車両の衝突時におけるエアバッグ装置の展開等を制御するためのデータとして用いられる。
【００３２】
以上の目的から、センサ３０は、シートユニットＳ（図３参照）の所定位置に取り付けられている。
【００３３】
＜車両用シートの構造＞
以下では、センサ３０の取付構造を説明するにあたり、先ず、シートとしての車両用シートＺを含むシートユニットＳの構造について概説する。シートユニットＳは、車両本体（車両のうち、シートユニットを除く部分）の車体フロアに固定され、車両用シートＺとレール部材１０とによって構成される。図１に図示された車両用シートＺは、シートの一例であり、その骨格としてシートフレームＦ（図２及び図３参照）と、クッション体とを有する。シートフレームＦは、金属材料によって形成されており、左右方向両端にサイドフレーム２ａを備えた着座フレーム２、背側にシートバックフレーム１を、それぞれ備えている。
【００３４】
着座フレーム２を構成する各サイドフレーム２ａは、前後方向に延出した板金部材であり、後端部にてシートバックフレームと連結している。また、左右方向一端側（左側）のサイドフレーム２ａと、左右方向他端側（右側）のサイドフレーム２ａとは、図４で示すように、互いに平行な状態で左右方向に離間している。サイドフレーム２ａ同士は、後端側で連結パイプ３を介して、前端側でサブマリン抑制パイプ４を介して、それぞれ連結している。
【００３５】
連結部材としてのサブマリン抑制パイプ４は、車両用シートＺの幅方向一端から他端に亘って伸びたパイプ部材である。サブマリン抑制パイプ４の幅方向中央部４ａ及び幅方向端部４ｂは、幅方向に沿って平行に並んでいる一方で、前後方向においてずれており、本実施形態では、幅方向中央部４ａの方が幅方向端部４ｂよりも後側に位置している（例えば、図１４参照）。ただし、これに限定されるものではなく、幅方向端部４ｂの方が幅方向中央部４ａよりも後側に位置している構成であってもよい。なお、幅方向中央部４ａ及び幅方向端部４ｂの双方の間には、当該双方の間を繋ぐ連結部４ｃが備えられ、連結部４ｃの延出方向は幅方向に対して傾いている。
【００３６】
また、サイドフレーム２ａの間にはＳバネ６が複数（図３に示すケースでは４本）配置されている。このＳバネ６は、クッション体を下方から支持する支持ばねであり、蛇行しながら前後方向に延びている。なお、各Ｓバネ６は、その前端部がサイドフレーム２ａ間に架設された板状フレームとしての架設パン５に掛けられ、後端部が上述の連結パイプ３（より具体的には、連結パイプに嵌合された略円弧状の掛かり止め部材）に掛けられることにより、サイドフレーム２ａの間に配置される。そして、架設パン５及びＳバネ６の上に不図示のクッション体が搭載されるようになる。なお、サイドフレーム２ａの構造については後に詳述する。
【００３７】
架設パン５は、図３に示すように、サイドフレーム２ａに対して取り付け部５ａによって取り付けられている。そして、この取付部５ａは、サイドフレーム２ａの外端面（より詳細には、車両用シートＺの幅方向において外側に配設される面）よりも、車両用シートＺの幅方向内側に配設されている。さらに、架設パン５の取り付け部５ａだけでなく、架設パン５の外端（外方縁端部）、すなわち、シート幅方向外側の端部もまた、サイドフレーム２ａの外端面よりもシート幅方向内側に配設されている。そしてさらに、架設パン５の取り付け部５ａは、後述する前側取付領域２５を避けた位置に配設されている。
【００３８】
このように、架設パン５をサイドフレーム２ａの外端面よりもシート幅方向内側に配設することにより、架設パン５のシート幅方向の大きさを大きくする必要がなく、架設パン５の重量が増すのを抑制することができる。
【００３９】
レール部材１０は、車両の左右方向で離間して一対設けられ、一方（左側）のレール部材１０と、他方（右側）のレール部材１０とは、互いに平行な状態で左右方向に離間している。各レール部材１０は、車体フロアに対して固定されたロアレール１１と、ロアレール１１と係合しロアレール１１上をスライド移動することが可能なアッパレール１２とを有する。
【００４０】
ロアレール１１及びアッパレール１２は、いずれも一対ずつ備えられており、各々は前後方向に沿って延出している。一対のアッパレール１２は、図４に示すように、互いに平行な状態で左右方向に間隔を空けて並んでおり、アッパレール１２間は、スライドレバー１７によって連結されている。
【００４１】
一方、一対のロアレール１１は、図４に示すように、互いに平行な状態で左右方向に間隔を空けて並んでおり、ロアレール１１間は、メンバフレーム１４によって連結されている。また、ロアレール１１の各々の端部側の下面には、支持ブラケット１３が取り付けられている。この支持ブラケット１３が車体フロアに締結されることにより、ロアレール１１が車体フロアに対して固定されることになる。
【００４２】
そして、ロアレール１１の各々には、車両用シートＺが載置される。より詳しく説明すると、ロアレール１１上にはアッパレール１２がスライド可能に配置され、さらにアッパレール１２上には取り付けブラケット１５、１６が取り付け部材１８としてのボルト１８ａ，１８ｂ及びボルト１８ａ，１８ｂにそれぞれ螺合するナットにて固定されている。この取り付けブラケット１５、１６に車両用シートＺのサイドフレーム２ａが連結されることにより、車両用シートＺが各アッパレール１２に取り付けられ、車両用シートＺがロアレール１１の各々に載置されることになる。また、取り付けブラケット１５，１６には後述のセンサ３０が取り付けられる。
【００４３】
なお、車両用シートＺがロアレール１１の各々に載置された状態において、左右方向一端側（左側）のサイドフレーム２ａは、左右方向一端側（左側）のロアレール１１の上方に位置し、左右方向他端側（右側）のサイドフレーム２ａは、左右方向他端側（右側）のロアレール１１の上方に位置している。また、車両用シートＺがロアレール１１の各々に載置された状態では、前述した複数のＳバネ６の各々が、左右方向に並んだ状態でロアレール１１間に位置している。
【００４４】
＜センサの構造＞
次に、本実施形態に係るセンサ３０について図５を参照しながら説明する。
センサ３０は、図５に示すように、延出軸部３１と、センサ本体３２とを備える。本実施形態では、一端部に雄ネジが形成された金属製の軸体３３のうち、雄ネジが形成された側の端部により延出軸部３１が構成される。一方、センサ本体３２は、上記軸体に形成された大径部（具体的には、後述の段差）、上記軸体を内部に挿通させる外筒体、当該外筒体に取り付けられた基板ユニット３４により構成される。なお、延出軸部３１を備えた上記の軸体３３は、センサ本体３２を構成する外筒体に取り付けられて、当該外筒体と一体化している。
【００４５】
延出軸部３１は、センサ３０をシートユニットＳに取り付けるために設けられたボルト状部分であり、センサ本体３２の側方から延出している。また、延出軸部３１は、上記の軸体の軸方向一端部に形成された雄ネジ部３１ａと、軸方向において雄ネジ部３１ａと隣接する隣接部３１ｂを有する。雄ネジ部３１ａのネジ山に相当する部分と、隣接部３１ｂとは同径となっている。なお、本実施形態では、延出軸部３１に雄ネジ部３１ａが形成されていることとしたが、雌ネジが形成されていることとしてもよい。
【００４６】
センサ本体３２は、センサ３０の主要部として、乗員が車両用シートＺに着座した際の荷重を検出して当該荷重を測定する部分である。このセンサ本体３２は、センサ３０を位置決めするための位置決め部３５と、荷重を検出するために変形する荷重検出部３７とを有する。位置決め部３５は、延出軸部３１を備えた上記の軸体において、雄ネジ部３１ａとは反対側で隣接部３１ｂと隣り合う段差部である。この位置決め部３５をなす段差部は、雄ネジ部３１ａや隣接部３１ｂよりも幾分大きな外径を有しており、大径部に相当する。
【００４７】
荷重検出部３７は、上記の外筒体のうち、開口側の端部（延出軸部３１を備えた軸体の挿入口となる側の端部）に位置する円環部に形成されている。荷重検出部３７は、変形部に相当し、荷重検出部３７に円環部の径方向（換言すると、延出軸部３１の径方向）に沿って荷重が掛かると、荷重検出部３７が径方向に曲がるように変形する。センサ本体３２は、荷重検出部３７の変形量を不図示の歪みセンサにより検知し、当該変形量から荷重の大きさを測定する（割り出す）。
【００４８】
また、センサ本体３２は、荷重の測定結果を電気信号として出力する基板ユニット３４を搭載している。基板ユニット３４には、上記電気信号を受信する不図示の受信部と電気的に接続するためのコネクタ部３４ａが設けられているものであり（例えば、図１４参照）、基板の他、基板収容ケース等を含むものである。コネクタ部３４ａは、基板収容ケースの側面中央位置から水平に突出している。
【００４９】
さらに、センサ本体３２は、延出軸部３１を備えた軸体３３のうち、外筒体内に収容された部分（以下、収容軸部３６）を構成要素として有する。この収容軸部３６は、図５に示すように、上記軸体の軸方向において、位置決め部３５をなす段差部側から同径のまま延びた同径部３６ａと、同径部３６ａ側で縮径し基部側で再度拡径する異径部３６ｂとを有する。なお、同径部３６ａの外径は、荷重検出部３７が形成された円環部の内径よりも僅かに小さくなっている。
【００５０】
以上のような構成のセンサ３０は、図５に示すように、延出軸部３１が水平方向に沿うように取り付けられる。なお、センサ３０が所定の取り付け位置に取り付けられた状態において、センサ３０のうち、荷重検出部３７が形成された円環部は、サイドフレーム２ａに形成された穴部２１に挿入されている。
【００５１】
そして、車両用シートＺに乗員が着座すると、その際の荷重がサイドフレーム２ａを介してセンサ本体３２の荷重検出部３７に伝達される。具体的に説明すると、サイドフレーム２ａは、上記円環部の径方向（延出軸部３１の径方向）において円環部の外側に位置し、荷重を荷重検出部３７に伝達するために荷重検出部３７を径方向内側に押圧する。ここで、サイドフレーム２ａが押圧する部位は、上記円環部のうち、周方向最上部である。つまり、本実施形態の荷重検出部３７は、円環部のうち、周方向最上部である。すなわち、円環部の外周面のうち、周方向最上部に相当する領域が、荷重受け面３７ａとなり、センサ本体３２は、荷重受け面３７ａと直交する方向（具体的には、鉛直方向下向き）の荷重を検出する。
【００５２】
なお、上記円環部の径方向内側には、円環部の内径よりも僅かに外径が小さい収容軸部３６の同径部３６ａが配置されている（図５参照）。したがって、乗員が車両用シートＺに着座した際の荷重によって荷重検出部３７が円環部の径方向（鉛直方向下向き）に曲がる際には、上記の同径部３６ａに当接するまでの範囲内で曲がることとなり、過度に曲がらないように曲がり量を規制している。つまり、本実施形態において、同径部３６ａは、荷重検出部３７が変形する際の変形量を規制する規制部に相当し、荷重検出部３７と当接することにより上記変形量を規制する。
【００５３】
規制部としての同径部３６ａは、延出軸部３１の軸方向において、車両用シートＺがサイドフレーム２ａを介して荷重検出部３７に荷重を付与する際の荷重中心点に掛かる位置に配置されている。ここで、荷重中心点とは、センサ本体３２（具体的には、荷重検出部３７）が車両用シートＺから荷重を受ける際に、センサ本体３２において最も荷重が集中する地点である。本実施形態において、荷重中心点は、上述の荷重受け面３７ａ内に存在し、通常、延出軸部３１の軸方向における荷重受け面３７ａの中央位置に位置する。
【００５４】
以上のような位置に規制部としての同径部３６ａが設けられていることにより、当該同径部３６ａは、荷重検出部３７の、荷重中心点に相当する部位を受けるようになり、この結果、偏荷重等によって過度に荷重検出部３７が変形するのを抑制し、以て、センサ３０は安定的に荷重測定を行うことが可能になる。
【００５５】
また、本実施形態では、図５に示すように、延出軸部３１の軸方向における同径部３６ａの長さが、同方向におけるサイドフレーム２ａの長さ（厚み）よりも大きくなっている。すなわち、軸方向において、荷重検出部３７がサイドフレーム２ａによって押圧される範囲には、同径部３６ａが存在することになる。したがって、サイドフレーム２ａから押圧される範囲すべてに亘って、同径部３６ａが荷重検出部３７を受けるようになり、以て、より安定した荷重測定を行うことが可能になる。
【００５６】
＜センサの取付構造＞
上述したセンサ３０は、図５に示すように、サイドフレーム２ａと取り付けブラケット１５，１６とを連結する部材として機能し、センサ３０が所定の取り付け位置に所定の姿勢にて取り付けられることで、サイドフレーム２ａが取り付けブラケット１５，１６と連結するようになり、車両用シートＺが各アッパレール１２に固定されるようになる。換言すると、センサ３０は、サイドフレーム２ａと取り付けブラケット１５，１６とに跨る形で車両用シートＺに取り付けられる。
【００５７】
以下では、センサ３０を取り付ける取付構造について説明する。ここで、本実施形態の車両用シートＺは、略左右対称の形状をなしているので、以下の説明では、車両用シートＺの幅方向一端側（左側）の構成についてのみ説明することとする。
【００５８】
なお、以下の説明において、一組のレール部材（例えば、ロアレール１１）のうち、一方を第１レール部材と呼び、他方を第２レール部材と呼ぶこととする。ここで、第１レール部材及び第２レール部材は、相対的な概念であり、一方のレール部材を第１レール部材とすると、もう一方のレール部材（すなわち、車両用シートＺの幅方向に沿って第１レール部材と間隔を空けて並ぶ他のレール部材）が第２レール部材となり、例えば、左側（右側）のレール部材を第１レール部材としたときには、右側（左側）のレール部材が第２レール部材となる。
【００５９】
また、説明の便宜上、車両用シートＺの幅方向において、第１レール部材から見て第２レール部材が位置する側を内側と呼び、第１レール部材から見て第２レール部材が位置する側とは反対側を外側と呼ぶこととする。
【００６０】
センサ３０の取付構造を説明するにあたり、サイドフレーム２ａ及び取り付けブラケット１５，１６の構造について図６Ａ、図６Ｂ、図７及び図９を参照しながら説明する。
【００６１】
先ず、サイドフレーム２ａの構造について説明する。サイドフレーム２ａは、長尺状の板金を加工して形成されており、先端部２０が内側に曲がって車両用シートＺの前端を規定している。また、サイドフレーム２ａの前端よりも幾分後側の位置、及び、後端よりも幾前側の位置には、それぞれ、センサ３０を取り付ける円穴状の穴部２１が設けられている。この穴部２１には、センサ３０のうち、荷重検出部３７が形成された円環部が挿通される。なお、本実施形態では、サイドフレーム２ａにおいて当該円環部を挿通させる部分の長さ（延出軸部３１の軸方向における長さ）を広げるために、後述のブッシュ４３（図８参照）が穴部２１に嵌め込まれている。
【００６２】
また、図６Ａ及び図６Ｂに示すように、サイドフレーム２ａの所定領域は内側に窪んでおり、また、他の領域は外側に突き出ている。より具体的に説明すると、サイドフレーム２ａのうち、シートバックフレームと連結した連結部としての連結領域２２（すなわち、後端部）は、サイドフレーム２ａのうち、最も内側に位置している（換言すると、車両用シートＺの幅方向において第２レール部材に最も近くなっている）。上記の連結領域２２よりも前方に位置し、後側の穴部２１が形成された領域（以下、後側取付領域２３）は、上記の連結領域２２よりも幾分外側に突き出ており、特に、連結領域２２との境界付近に位置する部位については、図６Ｂに示すように、より一層外側に突き出ている。
【００６３】
一方、サイドフレーム２ａの前端部に相当する領域（前端領域２４）よりも後方に位置し、前側の穴部２１が形成された領域（以下、前側取付領域２５）は、前端領域２４よりも外側に位置している。また、前側取付領域２５は、サイドフレーム２ａの中で最も内側に位置した連結領域２２よりも外側に位置していることになる。
【００６４】
サイドフレーム２ａのうち、前後方向において前側取付領域２５と後側取付領域２３との間に位置する領域（中間領域２６）については、下部２６ａが内側に窪んでいる。一方、中間領域２６の上部２６ｂのうち、後側取付領域２３と隣接する後側隣接部位２６ｃは、後側取付領域２３と同程度に外側へ突き出ており、前側取付領域２５と隣接する前側隣接部位２６ｄは、前側取付領域２５よりもやや内側に窪んでいる。
【００６５】
以上のように、本実施形態では、サイドフレーム２ａのうち、上述の連結領域２２の外側表面を基準面としたとき、穴部２１が形成された後側取付領域２３及び前側取付領域２５、すなわち、センサ３０が取り付けられる領域は、上記の基準面よりも外側に突き出ている。
【００６６】
換言すると、第１レール部材側に位置するサイドフレーム２ａでは、穴部２１が、車両用シートＺの幅方向において連結領域２２よりも第２レール部材から離れた領域に形成されていることになる。さらに、第１レール部材側に位置するサイドフレーム２ａにおいて、穴部２１は、サイドフレーム２ａ内で互いに隣接する２つの領域のうち、車両用シートＺの幅方向において第２レール部材からより離れた側の領域に形成されていると言うこともできる。
【００６７】
なお、本実施形態では、穴部２１が形成された後側取付領域２３及び前側取付領域２５以外の領域の一部（例えば、中間領域２６の後側隣接部位２６ｃ）についても、上記の基準面より外側に突出していることとした。ただし、これに限定されるものではなく、穴部２１が形成された領域、すなわち、センサ３０が取り付けられる領域に限り、基準面より外側に突き出ていることとしてもよい。
【００６８】
さらに、図６Ｂに示すように、外方突出部としての後側取付領域２３の下部には、逆三角形状に張り出した張り出し部２３ａが形成されている。同様に、外方突出部としての前側取付領域２５の下部にも、逆三角形状に張り出した張り出し部２５ａが形成されている。すなわち、サイドフレーム２ａのうち、後側取付領域２３及び前側取付領域２５については、張り出し部２３ａ、２５ａの分、上下方向の長さが他の領域に比して長くなっている。そして、張り出し部２３ａ、２５ａに穴部２１が形成されており、穴部２１にセンサ３０が取り付けられる。
【００６９】
このように、後側取付領域２３及び前側取付領域２５において、下方へ延出した張り出し部２３ａ，２５ａをそれぞれ備えることにより、後側取付領域２３及び前側取付領域２５の面積が広くなり、後側取付領域２３及び前側取付領域２５の剛性を向上させることができる。その結果、サイドフレーム２ａの剛性を向上させることができる。
また、下方へ延出した張り出し部２３ａ，２５ａに形成された穴部２１にセンサ３０が取り付けられることにより、センサ３０をより下方に配設することができる。
【００７０】
サイドフレーム２ａの上端部には、図６Ａに示すように、車両用シートＺの幅方向内側に向かって延設されたフランジ部２ａｙが形成されている一方、下端部にはフランジ部が備えられていない。したがって、サイドフレーム２ａは、上端部にフランジ部２ａｙを備えることにより、下方と比較して上方の剛性が高くなっている。換言すると、サイドフレーム２ａは、下方の方が上方と比較して剛性が低く形成されている。
【００７１】
そして、センサ３０は、サイドフレーム２ａにおいて、下端部（より詳細には、張り出し部２３ａ，２５ａ）に取り付けられるため、センサ３０はサイドフレーム２ａにおいてフランジ部２ａｙから遠い部分、すなわち比較的剛性が低い部分に取り付けられることになる。したがって、センサ３０がサイドフレーム２ａの中でも剛性が低い部分に備えられることにより、センサ３０に対して荷重が伝達されやすくなる。その結果、センサ３０が、荷重入力部である摺動部材４２の動き（特に、上下方向の動き）に追従しやすくなる。
【００７２】
さらに、サイドフレーム２ａには、上述のように、張り出し部２３ａ，２５ａが備えられているため、フランジ部２ａｙからさらに遠ざかる位置でセンサ３０が配設されている。したがって、センサ３０がサイドフレーム２ａにおいて特に剛性が低い位置で配設されるため、センサ３０に対して荷重がさらに伝達されやすくなるという効果を奏する。
【００７３】
次に、取り付けブラケット１５，１６について説明する。取り付けブラケット１５，１６は、アッパレール１２とは別体をなしており、車両用シートＺの前後方向に沿って延出しており、取り付け部材１８によってアッパレール１２の上面に着脱自在に固定されている。このように、センサ３０を取り付けるための取り付けブラケット１５，１６がアッパレール１２と別体となっていることによって、シートデザインが変更になった場合であっても容易にセンサ３０を付け直すことができる等、センサ３０の取付構造の汎用性が向上するとともに、メンテナンス性についても向上する。また、取り付けブラケット１５，１６の設計自由度を向上させることができる。さらに、取り付けブラケット１５，１６を別体で形成しているため、前後方向に亘って一体で形成する場合と比較して、軽量化することができる。
【００７４】
本実施形態では、アッパレール１２の長手方向（換言すると、車両用シートＺの前後方向）に複数の取り付けブラケット１５，１６が取り付けられている。そして、各々の取り付けブラケット１５，１６にセンサ３０が取り付けられる。つまり、本実施形態では、センサ３０が車両用シートＺの前後方向において互いに異なる位置に複数備えられ、特に、本明細書にて図示する形態では、車両用シートＺの幅方向の各端部において、車両用シートＺの前側及び後側にそれぞれセンサ３０が設けられる（すなわち、計４個のセンサ３０が車両用シートＺに取り付けられる）。
【００７５】
そして、取り付けブラケット１５，１６、及び、荷重測定センサを取り付けブラケット１５，１６に取り付ける取付構造が、個々のセンサ３０ごとに分けて設けられている。具体的に説明すると、前側のセンサ３０に対して取り付けブラケット１５が設けられており、後側のセンサ３０に対しては取り付けブラケット１６が設けられている。
【００７６】
以上のように、センサ３０を取り付けるための部材（具体的には、取り付けブラケット１５，１６）が、アッパレール１２の長手方向において複数個に分断していることにより、個々の取り付けブラケット１５，１６について、個別に取り付け位置を調整することが可能になるので、取り付け位置の調整精度が向上することになる。
【００７７】
車両用シートＺの前後方向において、後側に取り付けられる取り付けブラケット１６は、前側に取り付けられる取り付けブラケット１５と比較して、その長手方向が長く形成されている。このように、後側に取り付けられる取り付けブラケット１６の方が長く形成されていることにより、取り付けブラケット１６の剛性が向上する。車両用シートＺにおいて、後方にはより大きな荷重が加わるのが一般的であるが、後側に取り付けられた取り付けブラケット１６の剛性が高く形成されているため、大きな荷重が加わった場合であっても、取り付けブラケット１６によって荷重を受けることができる。
【００７８】
前側のセンサ３０用の取り付けブラケット１５と、後側のセンサ３０用の取り付けブラケット１６とは、アッパレール１２の長手方向における長さの点において相違するが、その基本構造については略同様である。したがって、以下では、前側のセンサ３０の取り付けブラケット１５の構造についてのみ説明する。
【００７９】
取り付けブラケット１５は、図７に示すように、正面視（前方から見たとき）では略Ｕ字状となっており、その幅方向中央がアッパレール１２の幅方向中央と重なるように、アッパレール１２の上面に固定される。なお、前述したように、取り付けブラケット１５は、締結部材からなる取り付け部材１８によってレール部材としてのアッパレール１２の上面に固定される。
【００８０】
取り付け部材１８は、一つの取り付けブラケット１５に対して少なくとも２個以上備えられており、取り付けブラケット１５に固定されたセンサ３０を挟む位置に備えられている。すなわち、取り付けブラケット１５は、図９に示すように、第１の取り付け部材としてのボルト１８ａ及び第２の取り付け部材としてのボルト１８ｂによってアッパレール１２上に取り付けられている。
【００８１】
車両用シートＺは、スライドレバー１７を操作すると、ロアレール１１に対してアッパレール１２が摺動することにより、前後方向にスライド移動させることができる。そして、車両用シートＺを最も前方側にスライドさせた状態であっても、取り付けブラケット１５はレール部材１０（ロアレール１１）上に位置するように配置されている。さらに詳細には、取り付けブラケット１５をアッパレール１２に取り付けるためのボルト１８ａ，１８ｂは、車両用シートＺが最も前方となる位置にスライドされた状態である時でも、ロアレール１１上に配設されるように構成されている。
このように、前方に配設される取り付けブラケット１５（さらに詳細には、ボルト１８ａ，１８ｂ）が常にロアレール１１の上に配置されるため、取り付けブラケット１５を安定して取り付けることができる。
【００８２】
ボルト１８ａ、１８ｂは、それぞれ、取り付けブラケット１５のセンサ３０が取り付けられる部分、すなわち、挿入孔５２を前後方向において挟む位置に備えられている。このように、ボルト１８ａ，１８ｂを、１個のセンサ３０を介して前後方向で対向するように配設することにより、取り付けブラケット１５がアッパレール１２に対して強固に取り付けられる。その結果、センサ３０をアッパレール１２に対して安定して取り付けることが可能となる。
【００８３】
より詳細には、センサ３０の少なくとも一部は、第１の取り付け部材としてのボルト１８ａ及び第２の取り付け部材としてのボルト１８ｂを通る鉛直面上に配置されている。換言すると、車両用シートＺの前後方向に離間して配設されると共に軸方向が上下方向（鉛直方向）に沿って配設されたボルト１８ａ及びボルト１８ｂの中心軸（図９の点線Ａ）を含む平面上にセンサ３０の少なくとも一部が配置されている。
このように、ボルト１８ａ，１８ｂとの間であって、ボルト１８ａ，１８ｂの中心軸を通る鉛直面上にセンサ３０が配設されることにより、センサ３０の取付構造がシート幅方向に大型化するのを抑制することができる。
【００８４】
ここで、取り付けブラケット１５の底壁部５０には、ボルト１８ａ，１８ｂを挿入するために、図９に示すように、ボルト穴が形成されている。このボルト穴は、アッパレール１２の長手方向（車両用シートＺの前後方向）に沿って長い穴（長穴）となっている。
【００８５】
このため、アッパレール１２上に取り付けブラケット１５を固定する際、上記のボルト穴にボルト１８ａ，１８ｂを挿入してナットを仮組みした後に、取り付けブラケット１５をアッパレール１２の長手方向に沿って移動させることが可能である。ゆえに、本実施形態では、レール部材としてのアッパレール１２における取り付けブラケット１５の取り付け位置が、アッパレール１２の長手方向に沿って調整可能となっている。これにより、取り付けブラケット１５の取り付け位置の調整を容易に、且つ、精度良く行うことが可能になる。
【００８６】
なお、上記のボルト穴については、アッパレール１２の長手方向に沿って長い穴に限らず、例えば、取り付けブラケット１５の取り付け位置を調整できる程度のサイズとなっていればよく、かかるサイズであれば、真円状の円穴であることとしてもよい。
【００８７】
また、取り付け部材１８（ボルト１８ａ，１８ｂ）が挿入される底壁部５０は、図８に示すように、車両用シートＺの前後方向端部において、前後方向に沿って延出した延出部５０ａを備えている。この延出部５０ａは、少なくとも、後述する立壁部５１の前後方向端部よりもそれぞれ前方または後方まで延設されている。
そして、延出部５０ａの近傍にボルト１８ａ，１８ｂが配設される。より詳細には、ボルト１８ａ，１８ｂは、延出部５０ａに対して前後方向で隣接する位置に配設されている。
【００８８】
このように、それぞれボルト１８ａ，１８ｂが延出部５０ａに対して隣接する位置に配設されることにより、ボルト１８ａ，１８ｂを強固に取り付けることができる。その結果、取り付けブラケット１５をアッパレール１２に対して強固に取り付けることが可能となる。
【００８９】
ボルト１８ａ，１８ｂの上端の高さは、図９において点線Ｄで示すように、互いに等しくなるように取り付けられている。このように、ボルト１８ａ，１８ｂの上端を互いに等しい高さにすることにより、センサ３０の取付構造が大型化することを抑制することができる。特に、取り付けブラケット１５を介してサイドフレーム２ａにセンサ３０を取り付ける場合には、このように、ボルト１８ａ，１８ｂの上端の高さを揃える構成とするとよい。
【００９０】
また、ボルト１８ａ，１８ｂは、外方突出部としての前側取付領域２５の幅（車両用シートＺの前後方向の幅）よりも内側に配設されている。すなわち、前側取付領域２５の前後方向の端部間の距離よりも、ボルト１８ａ，１８ｂ間の距離が小さくなるようにボルト１８ａ，１８ｂが配設されている。
このように、ボルト１８ａ，１８ｂ間の距離が、前側取付領域２５の前後方向の幅よりも小さく形成されることにより、ボルト１８ａ，１８ｂの周辺部の空間が広くなるため、ボルト１８ａ，１８ｂの締結作業や、ボルト１８ａ，１８ｂの取付状態の確認が容易にできるようになる。
【００９１】
さらに、ボルト１８ａ，１８ｂは、外方突出部としての前側取付領域２５の下部に備えられた逆三角形状に張り出した張り出し部２５ａを避けた位置に配設されている。より詳細には、ボルト１８ａ，１８ｂは、シート幅方向において張り出し部２５ａと重ならない位置に備えられている。したがって、ボルト１８ａ，１８ｂの締結作業を行う際、張り出し部２５ａ（サイドフレーム２ａ）とボルト１８ａ，１８ｂが干渉しにくくなるため、車両用シートＺの組み付け作業を容易に行うことができる。
【００９２】
また、サイドフレーム２ａの下方は、ボルト１８ａとサイドフレーム２ａとが重ならない（干渉しない）ように、上方に向かって切り欠かれた除去部としての凹部２ａｘが形成されている。サイドフレーム２ａの下端部において、ボルト１８ａの上方に相当する一部を切り欠くようにして形成された凹部２ａｘを設けることにより、サイドフレーム２ａを軽量化することができるだけでなく、ボルト１８ａとサイドフレーム２ａとが干渉する（接触する）のをより一層抑制することができるため、車両用シートＺの組み付け作業を容易に行うことができる。また、ボルト１８ａと、サイドフレーム２ａとが干渉しにくくなるため、ボルト１８ａが損傷するのを抑制することができ、安定して取り付けブラケット１５をアッパレール１２に取り付けることができる。さらに、凹部２ａｘの下方においてボルト１８ａが備えられることにより、ボルト１８ａを容易に視認することができる。
なお、上記ではボルト１８ａと凹部２ａｘとの関係について説明したが、ボルト１８ｂについても同様の関係で、サイドフレーム２ａに凹部を形成することができる。
【００９３】
取り付けブラケット１５は、車両用シートＺの幅方向において底壁部５０の外側の端部から上方へ略垂直に立設する立壁部５１を有する。換言すると、底壁部５０は、取り付けブラケット１５において、立壁部５１と交差し、車両用シートＺの幅方向の一端部（外側端部）にて立壁部５１と接する部分である。
【００９４】
上記の立壁部５１は、略三角形状となっており、底壁部５０の前端から後端に亘って形成されている。また、略三角形状の立壁部５１のうち、頂角に相当する部分には、図７に示すように、センサ３０を取り付ける際に延出軸部３１が挿入される挿入孔５２が形成されている。この挿入孔５２は、取り付けブラケット１５の厚み方向に沿って形成された貫通孔となっており、以て、センサ３０の取付状態（とりわけ、車両用シートＺの幅方向におけるセンサ３０の位置決め状態）を確認することが可能になっている。
【００９５】
このように、下方から上方へ延設された立壁部５１において延出軸部３１が挿入される挿入孔５２が形成されていることにより、センサ３０及び取り付けブラケット１５の前後方向（延出軸部３１の軸方向に直交する方向）において空間（図９において、点線の楕円が占める空間）が確保しやすくなるため、センサ３０の取付状態を視認しやすくなり、センサ３０の取り付け作業を容易に行うことができる。
【００９６】
ボルト１８ａ，１８ｂは、図５に示すように、センサ３０が取り付けられる立壁部５１（より詳細には、立壁部５１に備えられた挿入孔５２）に対して車両用シートＺの幅方向で離間して配設されている。さらに、ボルト１８ａ，１８ｂは上述のように、センサ３０を介して前後方向で対向して配設されているため、ボルト１８ａ，１８ｂの周辺部の空間が確保しやすくなる。その結果、ボルト１８ａ，１８ｂと立壁部５１、さらにはボルト１８ａ，１８ｂとセンサ３０が干渉しにくくなるため、容易にボルト１８ａ，１８ｂを締結することが可能となる。
【００９７】
立壁部５１は、図４、図５に示すように、サイドフレーム２ａよりも車両用シートＺの幅方向外側に配設されている。そして、サイドフレーム２ａは、ボルト１８ａ，１８ｂの中心軸（図５の点線Ａで示す）よりもシート幅方向外側に配設されているため、着座フレーム２において、シート幅方向内側の空間が狭くなることを抑制することが可能となる。したがって、着座フレーム２のシート幅方向内側の空間に他の部材（例えば、Ｓバネ６やハーネス等）を取り付ける作業を容易に行うことができる。また、このような着座フレーム２内に配設される他部材とサイドフレーム２ａとが接触して互いに干渉するのを抑制することができる。
【００９８】
また、ボルト１８ａ，１８ｂの中心軸（図５の点線Ａで示す）は、サイドフレーム２ａよりも車両用シートＺの幅方向内側に配設されており、さらに、立壁部５１は、上述のように、サイドフレーム２ａよりもシート幅方向外側に配設されている。そして、図５に示すように、立壁部５１は、レール部材としてのロアレール１１のシート幅方向外側端部よりもシート幅方向内側に配設されている。
上記の位置関係で立壁部５１を配設することにより、着座フレーム２が車両用シートＺの幅方向で大型化するのを抑制することができる。
【００９９】
さらに、ボルト１８ａ（取り付け部材１８）がサイドフレーム２ａよりも車両用シートＺの幅方向内側、且つ、凹部２ａｘの下方において配設されているため、ボルト１８ａとサイドフレーム２ａとが干渉しにくくなり、安定して取り付けブラケット１５をアッパレール１２に取り付けることができる。また、凹部２ａｘを通してボルト１８ａが視認しやすくなるため、車両用シートＺの組み付け作業における作業性を向上させることができる。
【０１００】
また、立壁部５１は、図５及び図１１に示すように、延出軸部３１が挿通されて取り付けられる部分（より詳細には、挿入孔５２の周辺）において、車両用シートＺの幅方向内側に向かって凹設された凹部５１ａと、シート幅方向内側に向かって突出する凸部５１ｂを備えている。（なお、他の図面では、簡略化のため、立壁部５１において凹部５１ａ、凸部５１ｂを図示していない。）
【０１０１】
立壁部５１において、凹部５１ａは、少なくとも挿入孔５２の周囲を取り囲むように形成されており、さらに、凹部５１ａの裏面、すなわち車両用シートＺの幅方向内側の面には、凸部５１ｂが形成されている。凸部５１ｂは、シート幅方向内側に向かって突出している。
上記のように、凹部５１ａ及び凸部５１ｂは、立壁部５１をシート幅方向内側に向かって膨出させて膨出部を形成することにより、一体に形成されている。すなわち、立壁部５１の一部を屈曲させることにより、凹部５１ａ及び凸部５１ｂが形成されている。
【０１０２】
このように、立壁部５１の一部を屈曲させることにより凹部５１ａ及び凸部５１ｂを形成することにより、立壁部５１の剛性が向上する。その結果、立壁部５１は、センサ３０を安定して支持可能となる。センサ３０を特に強固に取り付けるため、凸部５１ｂは、少なくとも、延出軸部に螺合する締結部材としてのナット３９に対し、延出軸部３１の軸方向で重なる位置に形成されているとよい。また、凹部５１ａをナット３９の外径に沿うようにドーナツ状に形成すると、ナット３９の位置決めも容易になるほか、ナット３９をより安定して締結することができる。
【０１０３】
なお、本実施形態では、凹部５１ａと凸部５１ｂとが表裏一体となるような構成を示したが、凹部５１ａのみ、凸部５１ｂのみを立壁部５１に備えた構成としてもよい。
凹部５１ａのみを形成する場合、凹部５１ａは、立壁部５１の車両用シートＺの幅方向外側面を掘削するようにして形成することができる。このように、立壁部５１において凹部５１ａを備えることにより、延出軸部３１がシート幅方向外側へ向かって挿通された場合、延出軸部３１がシート幅方向外側へ突出する長さ（幅）を小さくすることができる。つまり、凹部５１ａの深さ分だけ、延出軸部３１がシート幅方向外側へ延設される長さを短くすることができる。その結果、センサ３０をコンパクトに取り付けることができる。
【０１０４】
一方、凸部５１ｂのみを形成する場合、凸部５１ｂは、立壁部５１の車両用シートＺの幅方向内側面を、シート幅方向内側へ向かって厚くするようにして形成することができる。このように、立壁部５１において肉厚部としての凸部５１ｂを備えることにより、延出軸部３１を凸部５１ｂに対して強固に取り付けることができる。したがって、センサ３０を安定して取り付けることが可能となる。
【０１０５】
さらに、取り付けブラケット１５は、車両用シートＺの幅方向において底壁部５０の内側の端部から上方に突出する上方突出壁５３を有する。この上方突出壁５３は、上記のように、底壁部５０の、上記幅方向における内側端部（すなわち、立壁部５１が位置する一端部側とは反対側の他端部）にて底壁部５０と接し、底壁部５０と交差し、立壁部５１と対向した位置に設けられている。
【０１０６】
上方突出壁５３は、図９に示すように、張り出し部２５ａと重ならない範囲内で上方へ延設されている。すなわち、上方突出壁５３の上端部が、張り出し部２５ａの下端部よりも下方に備えられる。このような構成とすることにより、取り付けブラケット１５の上方突出壁５３とサイドフレーム２ａとが干渉しにくくなり、車両用シートＺの組み付け作業を容易に行うことができるようになる。
【０１０７】
取り付けブラケット１５に上記の上方突出壁５３が設けられていることにより、取り付けブラケット１５の剛性が向上する。この結果、センサ３０の取付剛性（センサ３０を取り付けて、センサ３０を支持させる部分の剛性）を高めて、センサ３０による荷重測定の精度を向上させることが可能になる。なお、本実施形態に係る上方突出壁５３は、底壁部５０と略垂直に交差しているが、これに限定されるものではなく、例えば、底壁部５０に対して鈍角をなす傾きにて交差するように突出した上方突出壁５３であってもよい。
【０１０８】
上方突出壁５３は、車両用シートＺの前後方向において、底壁部５０の前端から後端に向けて形成されている（延びている）一方で、上記の前後方向において挿入孔５２と同じ位置にある部分の上部が切り欠かれて除去されている。このように、上方突出壁５３は、上記の前後方向において挿入孔５２と同じ位置に、除去部５４を備えている。
【０１０９】
上記では、車両用シートＺの前側に配設される取り付けブラケット１５について説明したが、取り付けブラケット１６において特有の構造について、以下、説明する。
図７に示すように、後側に配設される取り付けブラケット１６は、上方突出壁５３からシートの幅方向内側に向かって延出する内側フランジ部５５を備えている。内側フランジ部５５を備えることにより、センサ３０から延出したハーネスを内側フランジ部５５によって保護することが可能となると共に、ハーネスの延在方向を規制することができる。また、取り付けブラケット１６は、後端において、底壁部５０から立ち上がるように突出して形成された後端突出壁５６を備えている。後端突出壁５６は、シート幅方向外側に配設された立壁部５１と、シート幅方向内側に配設された上方突出壁５３を連結するように、立壁部５１及び上方突出壁５３と一体となって形成されている。
【０１１０】
上記構成（具体的には、内側フランジ部５５、後端突出壁５６）を備えることにより、取り付けブラケット１６は、シート前後方向前側に配設される取り付けブラケット１５よりも剛性が高く形成される。したがって、前述したように、車両用シートＺの後方側は前方側と比較して大きな荷重がかかるが、剛性の高い取り付けブラケット１６を配設することにより、大きな荷重を取り付けブラケット１６によって受けることができる。したがって、シートフレームＦの耐久性を向上させることができる。
【０１１１】
また、車両用シートＺは、スライドレバー１７を操作することにより、前後方向にスライド移動させることができるが、車両用シートＺを最も後方までスライドさせたときであっても、取り付けブラケット１６は、少なくとも一部がレール部材１０（ロアレール１１）上に配設される。すなわち、取り付けブラケット１６は、その後端部がロアレール１１の後端部よりも後方に配設された状態であっても、少なくとも前端側の一部がロアレール１１上に配設される。
【０１１２】
このように、車両用シートＺを最も後方までスライドさせた際、特に取り付けブラケット１６には大きな荷重が加わりやすい。この大きな荷重に対し、上述のように、取り付けブラケット１６は、前側に配設される取り付けブラケット１５よりも剛性が高くなるように形成されているため、荷重による損傷が抑制される。
【０１１３】
取り付けブラケット１６は、アッパレール１２上に、取り付け部材としてのピン１８ｃ，１８ｄ，１８ｅによって取り付けられている。ピン１８ｃ，１８ｄ，１８ｅは、それぞれ、車両用シートＺの前方側（取り付けブラケット１５に近い側）から順にピン１８ｃ，１８ｄ，１８ｅの順で取り付けられている。より詳細には、後方側に配置されるピン１８ｄ，１８ｅは、センサ３０（挿入孔５２）を介してそれぞれ前後方向に対向して配設されている。また、ピン１８ｃは取り付けブラケット１６の前端側に配設されている。したがって、取り付けブラケット１６もまた、安定してアッパレール１２に取り付けられる。
【０１１４】
そして、車両用シートＺを最も後方までスライド移動させた場合、取り付けブラケット１６に取り付けられたピン１８ｃ，１８ｄ，１８ｅのうち、少なくとも一つ（すなわち、前方に配設されたピン１８ｃ）がロアレール１１上に位置するように取り付けブラケット１６が配設されている。このように、車両用シートＺを最後方までスライドさせた状態において、少なくともピン１８ｃがロアレール１１上に配置されていると、取り付けブラケット１６がロアレール１１上で安定する。その結果、センサ３０を安定した状態で保持することができる。
【０１１５】
なお、車両用シートＺを最も後方までスライド移動させた場合、３か所において取り付けられた取り付け部材（ピン１８ｃ，１８ｄ，１８ｅ）のうち、前方の２個（ピン１８ｃ，１８ｄ）がロアレール１１上に位置するように配設された構成とすると、より取り付けブラケット１６が安定してアッパレール１２に取り付けられるため、好ましい。
【０１１６】
以上までに説明してきたサイドフレーム２ａ及び取り付けブラケット１５，１６が、センサ３０の取り付けによって連結するようになる。具体的に説明すると、図８に示すように、サイドフレーム２ａが、取り付けブラケット１５，１６の立壁部５１の内側に位置するように、車両用シートＺを一組のレール部材１０（すなわち、第１レール部材及び第２レール部材）に載置する。この際、取り付けブラケット１５，１６に形成された挿入孔５２と、サイドフレーム２ａに形成された穴部２１とが重ねられる。より具体的に説明すると、前側の取り付けブラケット１５の挿入孔５２とサイドフレーム２ａの前側取付領域２５の穴部２１とが重ねられ、後側の取り付けブラケット１６の挿入孔５２とサイドフレーム２ａの後側取付領域２３の穴部２１とが重ねられる。
【０１１７】
上記２つの穴（挿入孔５２及び穴部２１）が重ねられた状態において、センサ３０が延出軸部３１側から上記２つの穴の各々に挿入される。具体的には、センサ３０のうち、センサ本体３２（より具体的には、荷重検出部３７が形成された円環部）が穴部２１に挿入され、センサ３０のうち、延出軸部３１は、穴部２１を通じて挿入孔５２に挿入される。そして、センサ３０の位置決め部３５が、取り付けブラケット１５，１６の立壁部５１の内側表面に当接するようになるまでセンサ３０が挿入される。これにより、車両用シートＺの幅方向において、センサ３０が位置決めされるようになる。
【０１１８】
そして、センサ３０が位置決めされた時点で、センサ３０のうち、荷重検出部３７が形成された円環部が、サイドフレーム２ａの穴部２１に嵌合するようになるとともに、延出軸部３１の雄ネジ部３１ａが、取り付けブラケット１５，１６の立壁部５１の外側表面よりも外側に突出するようになり、隣接部３１ｂが、取り付けブラケット１５，１６の挿入孔５２に嵌合するようになる。
【０１１９】
そして、センサ３０は、延出軸部３１の軸方向の一端側から見たとき、すなわち、図９のようにセンサ３０を見たとき、逆三角形状に下方へ張り出した張り出し部２５ａの縁端と、略台形状に上方へ張り出した立壁部５１との縁端との交点（図９において黒点で示す）と同一水平面上に備えられる。すなわち、図９において、センサ３０の少なくとも一部は、点線Ｃと重なるように配設される。
【０１２０】
下方へ張り出した張出部２５ａと、上方へ張り出した立壁部５１とが重ねられた状態で、略上下方向に延びるそれぞれの縁端（縁辺）同士が重なる点と、センサ３０が同一水平面上に配設されることにより、センサ３０の取付状態を視認しやすくなり、センサ３０の取り付け作業を容易に行うことができる。
【０１２１】
そして、センサ３０が穴部２１を通じて挿入孔５２に挿入され、位置決めされた後、立壁部５１の外側表面から突出した雄ネジ部３１ａにナット３９が螺合されることにより、センサ３０が所定の取り付け位置に取り付けられることになる。かかる状態において、センサ３０は、延出軸部３１の軸方向が水平方向（具体的には、車両用シートＺの幅方向）に沿った姿勢となっている。すなわち、本実施形態において、センサ３０は、延出軸部３１が水平方向に沿った姿勢で片持ちの状態（一方が取り付けブラケット１５，１６に固定された固定端であり、他方が固定されない自由端となるような状態）で取り付けられる。
【０１２２】
片持ち状態でセンサ３０を取り付ける場合、両持ち状態（センサ３０の両端が支持されるような状態）で取り付ける場合と比較して、取り付けが容易になる。一方、片持ち状態でセンサ３０を取り付ける場合、センサ３０が正確な荷重測定を行う上で、センサ３０の位置（配置位置）が安定している必要があり、センサ３０の位置を安定させるためには、センサ３０を支持する支持部材（具体的には、取り付けブラケット１５，１６）には十分な取付剛性が求められる。本実施形態では、上述した通り、上方突出壁５３を設けることによって取り付けブラケット１５，１６の取付剛性を高めており、以て、センサ３０を安定的に支持することが可能となっている。
【０１２３】
なお、本実施形態では、挿入孔５２が、延出軸部３１の軸方向において荷重が最も掛かる最大荷重位置を外れた位置に設けられている。ここで、最大荷重位置は、前述の荷重中心点に相当する位置である。これにより、センサ３０は、取り付けブラケット１５，１６に安定的に支持されるようになる。
【０１２４】
そして、センサ３０が上記の位置に配置された状態で、車両用シートＺに乗員が着座すると、その荷重が、サイドフレーム２ａを介してセンサ３０の荷重検出部３７に掛かるようになる。具体的には、車両用シートＺに乗員が着座した際の荷重は、鉛直方向下向きの荷重であり、この荷重が生じると、サイドフレーム２ａが、穴部２１に挿入された円環部（荷重検出部３７が形成された部分）を、穴部２１の内周面にて押圧するようになる。これにより、荷重検出部３７が延出軸部３１の径方向内側に曲がるように変形し、当該変形量に基づき、荷重測定部３８にて上記荷重の大きさが測定されることになる。
【０１２５】
以上のように、延出軸部３１が水平方向に沿った姿勢でセンサ３０が上記の位置に取り付けられると、センサ３０による荷重測定が可能になる。換言すると、センサ３０の取り付け位置とは、上述したセンサ３０による荷重測定が可能となる位置であり、具体的には、図７に示すセンサ３０の位置である。なお、本実施形態において、取り付け位置は、第１レール部材（すなわち、センサ３０から見て、より近い側のロアレール１１）の上方に位置する。
【０１２６】
センサ３０の取付構造について更に説明すると、取り付けブラケット１５，１６には幅方向内側端部に上方突出壁５３が備えられており、上方突出壁５３には、車両用シートＺの前後方向において挿入孔５２と同じ位置に、除去部５４が形成されている。そして、本実施形態では、図９に示すように、センサ３０の取り付け位置が、除去部５４の形成位置と一致している。この構成により、本実施形態では、センサ３０を容易に取り付けることが可能になる。
【０１２７】
より具体的に説明すると、センサ３０は、取り付けブラケット１５，１６の内側、より具体的には上方突出壁５３が設けられている側から取り付けられる（つまり、重ね合わせられた挿入孔５２及び穴部２１に挿入される）。一方、前後方向においてセンサ３０と同じ位置（より具体的には、センサ３０の延出軸部３１の軸心３１ｅと同じ位置）には、上述の除去部５４が設けられている。ここで、除去部５４とは、上方突出壁５３よりも内側の空間（車両用シートＺの幅方向において上方突出壁５３から見て立壁部５１が位置するとは反対側に位置する空間）に対してセンサ３０を露出させるために上方突出壁５３の一部を除去して形成された部分である。
【０１２８】
そして、上記の除去部５４が設けられていることにより、センサ３０は、取り付け時に、除去部５４を通じて穴部２１にアクセスするようになる。すなわち、センサ３０を上方突出壁５３の内側から取り付け位置に向けて動かす際の経路中に、上方突出壁５３が存在しないので、センサ３０の取り付けをスムーズに行うことが可能になる。なお、本実施形態では、上方突出壁５３のうち、車両用シートＺの前後方向において挿入孔５２と同じ位置にある部分の上部を切り欠いて除去部５４を形成することとした。ただし、これに限定されるものではなく、例えば、センサ３０を取り付け位置に向けて動かす際にセンサ３０が通過するのに十分なサイズの貫通穴（不図示）が、上方突出壁５３に形成されていることとしてもよい。
【０１２９】
ここで、図９に示すように、除去部５４のうち、センサ３０の延出軸部３１の軸心３１ｅの真下に位置する部分は、除去部５４の中で最も下方に位置している。これにより、センサ３０の取り付け位置をさらに下方にシフトすることが可能になる。なお、図９に図示された形態では、基板ユニット３４が側方位置に配置されており、当該配置位置に応じて除去部５４の形状や形成位置を設定することにより、基板ユニット３４の配置位置に応じてセンサ３０の取り付け位置を下方にシフトすることが可能になる。
【０１３０】
また、取り付けブラケット１５，１６をアッパレール１２の上面に固定するボルト１８ａ，１８ｂのセット位置は、前後方向において上記の除去部５４を外れた位置となっている。取り付けブラケット１５，１６を固定するための締結部材（ボルト１８ａ，１８ｂ）は、前後方向においてセンサ３０を避けた位置（具体的には、センサ３０の前後）にセットされている。これにより、センサ３０（厳密には、センサ本体３２）とボルト１８ａ，１８ｂとの干渉が抑制される結果、センサ３０の取り付け位置をより下方にシフトすることが可能になり、以て、車両用シートＺを上下方向に一層コンパクト化することが可能になる。
【０１３１】
なお、上述した上方突出壁５３は、車両用シートＺの前後方向においてボルト１８ａ，１８ｂと対向する位置に設けられている。換言すると、上方突出壁５３は、切り欠き状の除去部５４を挟んで前後に位置する領域を有し、当該領域は、車両用シートＺの幅方向においてボルト１８ａ，１８ｂと隣り合っている。このように、上方突出壁５３が、少なくとも、ボルト１８ａ，１８ｂと対向する位置に設けられていることにより、取り付けブラケット１５，１６のうち、ボルト１８ａ，１８ｂによってアッパレール１２に締結される部分の剛性（締結剛性）が確保されるので、取り付けブラケット１５，１６をアッパレール１２上に適切に固定することが可能になる。
【０１３２】
また、センサ３０を上記の取り付け位置に取り付けた際、センサ３０の下端面は、第１レール部材の上面にセットされたボルト１８ａ，１８ｂの上端面（図９において点線Ｄで示す）よりも下方に位置されている。これにより、センサ３０を取り付けるためのスペースを小さくし、車両用シートＺを一層コンパクト化することが可能になる。なお、車両用シートＺをコンパクト化する上で、センサ３０の下端面に限らず、センサ３０の少なくとも一部がボルト１８ａ，１８ｂの上端面よりも下方に位置していてもよい。
【０１３３】
また、本実施形態では、取り付けブラケット１５，１６に形成された挿入孔５２と、サイドフレーム２ａに形成された穴部２１とが重ねられる際、図８に示すように、挿入孔５２が形成された略三角形状の立壁部５１と、穴部２１が形成された略逆三角形状の張り出し部２３ａ、２５ａとが重ね合わせられる。この結果、センサ３０の前後にセットされたボルト１８ａ，１８ｂの周辺のスペースを確保し易くなり、作業性が向上する。さらに、立壁部５１を略三角形状とし、張り出し部２３ａ、２５ａを略逆三角形状とすることで、各々の接合部分（具体的には、挿入孔５２や穴部２１の形成部分）周辺を切り欠いていることになり、この結果、より一層の軽量化を達成するとともに、センサの取付状況を視認し易くなる。
【０１３４】
なお、前述した通り、取り付けブラケット１５，１６の上方突出壁５３には、車両用シートＺの前後方向においてセンサ３０と同じ位置に、除去部５４としての切り欠きが設けられている。この結果、取り付けブラケット１５，１６の立壁部５１とサイドフレーム２ａの張り出し部２３ａ，２５ａとを重ね合わせることが容易になる。すなわち、上方突出壁５３を切り欠いて除去部５４を形成することにより、センサ３０の取り付けが容易になるとともに、シートユニットＳの組み立て（レール部材１０に対する車両用シートＺの組み付け）も容易になる。
【０１３５】
＜センサ取付用部品＞
センサ３０が上述した取り付け位置に取り付けられた状態において、センサ本体３２（特に、荷重検出部３７が形成された円環部）周辺には、良好な荷重測定が行えるようにセンサ３０を取り付け位置に配置しておくための部品（以下、センサ取付用部品４０）が備わっている（図５参照）。以下、センサ取付用部品４０の各々について、図１０〜図１２を参照しながら説明する。
【０１３６】
センサ取付用部品４０は、図１１に示すように、車両用シートＺの幅方向外側から、スペーサ４１、摺動部材４２、ブッシュ４３、ワッシャ４４の順に並んでいる。
【０１３７】
ブッシュ４３は、車両用シートＺに備えられたシートフレームＦからの荷重をセンサ３０に伝達するために備えられる。ブッシュ４３は、熱間圧延軟鋼板（ＳＰＨＣ）からなる部材であり、図１０に示すように、円筒部４３ａと、略菱形状の鍔部４３ｂとが厚み方向に隣り合った構造となっている。すなわち、円筒部４３ａの軸方向の一端側から鍔部４３ｂが径方向外側に向かって延出するように形成されている。ブッシュ４３の中央位置には、円筒部４３ａ及び鍔部４３ｂの両方を貫通した貫通穴４３ｃが形成されている。この貫通穴４３ｃの径は、センサ３０の、荷重検出部３７が形成された円環部の外径よりも幾分大きくなっている。円筒部４３ａについては、厚さがサイドフレーム２ａ（具体的には、後側取付領域２３や前側取付領域２５）の厚みと略等しくなっており、外径が穴部２１の径とほぼ等しくなっている。
【０１３８】
また、鍔部４３ｂの厚さは、サイドフレーム２ａにおいて設けられた前側取付領域２５（または後側取付領域２３）がシート幅方向に突出した分の幅（より詳細には、連結領域２２よりもシート幅外側に膨出した分の幅）よりも小さくなるように形成されている。さらに、鍔部４３ｂの外径は、車両用シートＺを側方から見たとき、前側取付領域２５（または後側取付領域２３）の範囲内に前後方向で収まるような大きさで形成されている。
上記構成とすることにより、ブッシュ４３をサイドフレーム２ａに取り付ける際、ブッシュ４３の鍔部４３ｂが前側取付領域２５（または後側取付領域２３）の膨出した部分に内包されるため、ブッシュ４３を取り付けるためにシート幅を全体的に大きくする必要がない。その結果、ブッシュ４３をコンパクトに取付けることができる。
【０１３９】
以上のような形状のブッシュ４３は、円筒部４３ａがサイドフレーム２ａの穴部２１に嵌合した状態で、サイドフレーム２ａにプロジェクション溶接にて接合されている。そして、サイドフレーム２ａに接合されたブッシュ４３の貫通穴４３ｃにセンサ３０が挿入され、センサ３０の、荷重検出部３７が形成された円環部の径方向外側、すなわち、サイドフレーム２ａにおいてセンサ３０のセンサ本体３２を押圧する位置の部位に、ブッシュ４３が位置するようになる。
【０１４０】
以上の構成により、サイドフレーム２ａは、車両用シートＺに乗員が着座した際の荷重を伝達するために上記の円環部を押圧するとき、ブッシュ４３の鍔部４３ｂの厚みに相当する分、より大きな面積にて押圧することが可能になる。すなわち、ブッシュ４３は、サイドフレーム２ａが上記の円環部を押圧する際の押圧面積を広げるための荷重伝達部材である。
【０１４１】
なお、本実施形態では、図１２に示すように、ブッシュ４３は、円筒部４３ａから延出した延出部としての鍔部４３ｂの長手方向がサイドフレーム２ａの長手方向（換言すると、車両用シートＺの前後方向）に沿うようにサイドフレーム２ａに接合される。これにより、鍔部４３ｂの長手方向がサイドフレーム２ａの長手方向と直交するようにブッシュ４３を接合する場合と比較して、ブッシュ４３を接合するためのスペース（具体的には、張り出し部２３ａ、２５ａの高さ）を抑えることが可能になる。
【０１４２】
また、図１１に示すように、延出軸部３１の軸方向におけるブッシュ４３の長さ（厚み）は、前述した規制部としての同径部３６ａの、軸方向における長さよりも大きくなっている。そして、ブッシュ４３は、軸方向におけるブッシュ４３の両端が、軸方向における同径部３６ａ（規制部）の両端の内側に位置するように備えられている。以上の構成により、ブッシュ４３によってサイドフレーム２ａによる押圧範囲が広がったとしても、広がった押圧範囲すべてに亘って、同径部３６ａが荷重検出部３７を受けるようになる。したがって、ブッシュ４３を設けることの効果を得つつ、より安定した荷重測定を行うことが可能になる。
【０１４３】
また、鍔部４３ｂの少なくとも一部は、取り付けブラケット１５、１６をアッパレール１２の上面に固定するボルト１８ａ，１８ｂの上面（図９において点線Ｄで示す）よりも下方に位置している。これにより、センサ３０を取り付けるためのスペースを一層コンパクト化することが可能になる。
【０１４４】
摺動部材４２は、センサ３０と当接し、車両用シートＺに備えられたシートフレームＦからの荷重をセンサ３０に入力するために備えられる。さらに、摺動部材４２は、サイドフレーム２ａからの荷重が加わった際、延出軸部３１の軸方向に沿ってセンサ３０に対して摺動しやすくするため、摺動部材４２は、摺動性の良好な樹脂部材によって形成される。
【０１４５】
より具体的に説明すると、摺動部材４２は、エチレン樹脂からなるリング状の部材であり、荷重検出部３７が形成された円環部の径方向（換言すると、延出軸部３１の径方向）において当該円環部とブッシュ４３との間に介在する。より具体的に説明すると、摺動部材４２は、ブッシュ４３の貫通穴４３ｃに嵌合する筒状の嵌合筒部４２ｂと、嵌合筒部４２ｂの一端部と隣接する一端側鍔部４２ａと、嵌合筒部４２ｂの他端部と隣接する他端側鍔部４２ｃとを有する。上記の嵌合筒部４２ｂをブッシュ４３の貫通穴４３ｃに貫通させた状態では、一端側鍔部４２ａと他端側鍔部４２ｃとは、その間にブッシュ４３を挟み込んだ状態となる（図１１参照）。なお、本実施形態では、一端側鍔部４２ａの方が他端側鍔部４２ｃよりも小径となっている。このように、摺動部材４２がフランジ部としての一端側鍔部４２ａと他端側鍔部４２ｃを備えることにより、摺動部材４２の剛性が向上する。
【０１４６】
また、摺動部材４２には、その厚み方向において、一端側鍔部４２ａ、嵌合筒部４２ｂ及び他端側鍔部４２ｃを貫く貫通孔４２ｄを有する。この貫通孔４２ｄは、センサ３０の、荷重検出部３７が形成された円環部の外径よりも僅かに大きくなっている。そして、センサ３０の取り付け時には、摺動部材４２の貫通孔４２ｄと上記の円環部との間に若干の隙間を設けた状態で、当該円環部を上記の貫通孔４２ｄに嵌挿する。なお、本実施形態では、延出軸部３１の軸方向において、一端側鍔部４２ａが、他端側鍔部４２ｃよりも延出軸部３１の先端から遠くなるように、摺動部材４２が取り付けられる。
【０１４７】
上記の構成を有する摺動部材４２は、サイドフレーム２ａがセンサ本体３２の荷重検出部３７を押圧する際、径方向においてサイドフレーム２ａ（厳密には、ブッシュ４３）と荷重検出部３７との間に介在し、荷重検出部３７と接触する。かかる意味で、摺動部材４２は、サイドフレーム２ａとブッシュ４３を経由して伝達された荷重を最終的に荷重検出部３７に入力する荷重入力部材であると言える。すなわち、荷重入力部材たる摺動部材４２は、サイドフレーム２ａから伝達された荷重を荷重検出部３７に伝達するにあたり、荷重検出部３７と接触して、荷重検出部３７を直接押圧することになる。
【０１４８】
そして、摺動部材４２は、その厚み方向において隣り合って配設される他の部材（具体的には、後述のスペーサ４１、ワッシャ４４）と離間して配設される。すなわち、摺動部材４２が、延出軸部３１の軸方向でほかの部材と隙間を開けて配設されていることにより、サイドフレーム２ａからの荷重が加わった際、摺動部材４２が軸方向で移動可能となる。より詳細には、サイドフレーム２ａからセンサ３０へ伝達された荷重によってセンサ３０の荷重検出部３７が径方向内側に曲がるように変形した際、摺動部材４２は、当該変形に伴って、荷重検出部３７が形成された円環部に沿って、外側へ（換言すると、取り付けブラケット１５，１６側へ）スライド移動する。つまり、摺動部材４２は、荷重検出部３７の変形に追従して上記の円環部の外周面上を摺動する可動部（可動部材）である。
【０１４９】
このように、摺動部材４２が外側へ（さらに換言すると、延出軸部３１側へ）摺動することにより、センサ３０は、取り付けブラケット１５，１６の近傍（すなわち、固定された部分）において荷重を受け止めることができる。その結果、サイドフレーム２ａからの荷重が安定してセンサ３０に入力されるため、検出精度が向上する。
【０１５０】
さらに、摺動部材４２は、位置決め部３５よりもシート幅方向内側に配設され、荷重検出部３７のシート幅外側方向の端部よりも、基板ユニット３４が配設された方に近い位置で配設される。すなわち、摺動部材４２は、軸方向において、荷重検出部３７の固定されていない方の端部（自由端）よりも、基板ユニット３４が取り付けられた方に近い位置で配設される。このような構成とすることにより、摺動部材４２がセンサ３０の荷重受け面３７ａに対して安定して当接するため、荷重検出精度を向上させることができる。また、摺動部材４２に対して偏った荷重が加わるのを抑制することができる。
【０１５１】
なお、摺動部材４２の、荷重検出部３７との接触面（具体的に説明すると、貫通孔４２ｄの内周面のうち、荷重受け面３７ａと対向する領域）は、延出軸部３１の軸方向において広がりを有する。ここで、上記接触面のうち、軸方向における一端は、上述した同径部３６ａ（規制部）の軸方向における一端とともに、車両用シートＺの幅方向における一端及び他端のうち、一端側に位置する。反対に、上記接触面のうち、軸方向における他端は、同径部３６ａの軸方向における他端とともに、車両用シートＺの幅方向における一端及び他端のうち、他端側に位置する。
【０１５２】
そして、上記接触面の、軸方向における一端は、同径部３６ａの軸方向における一端よりも内側に位置している（換言すると、車両用シートＺの幅方向一端から離れている）。これにより、サイドフレーム２ａが摺動部材４２を介して荷重検出部３７を押圧する際に、規制部たる同径部３６ａが荷重検出部３７を受け、さらに、摺動部材４２が摺動したとしても安定的に荷重検出部３７を受け続けることが可能になる。
【０１５３】
また、上記接触面の、軸方向における他端は、同径部３６ａの軸方向における他端よりも外側に位置している（換言すると、車両用シートＺの幅方向他端から離れている）。すなわち、本実施形態では、車両用シートＺの幅方向において規制部たる同径部３６ａが存在する範囲内に、上記接触面が収まっている。これにより、荷重検出部３７が、同径部３６ａによる規制を受けながらも、荷重を正確に検出する（荷重を適切に受ける）ことが可能になる。
【０１５４】
ワッシャ４４は、鋼板（具体的には、ＳＵＳ６３０）からなるリング部材である。このワッシャ４４は、センサ３０が上述の取り付け位置に取り付けられた状態において、センサ３０の、荷重検出部３７が形成された円環部に嵌合しており、図１１に示すように、上述の摺動部材４２との間に僅かな隙間を隔てて、摺動部材４２のシート幅方向内側に位置している。すなわち、延出軸部３１の軸方向において、ワッシャ４４は、摺動部材４２よりも内側で、摺動部材４２と隣り合うように配置されている。また、ワッシャ４４は、センサ３０に備えられる基板ユニット３４との間に隙間を隔てて、基板ユニット３４のシート幅方向外側に位置している。
【０１５５】
そして、ワッシャ４４は、上記の配置位置にて、摺動部材４２が内側へ（つまり、取り付けブラケット１５，１６側とは反対側へ）過度に移動するのを規制する。すなわち、ワッシャ４４は、移動規制部材として機能するものであり、摺動部材４２がワッシャ４４の配置位置よりも内側へ移動するのを規制する。
【０１５６】
また、本実施形態では、図１１に示すように、規制部たる同径部３６ａの内側の端（換言すると、延出軸部３１の軸方向において取り付けブラケット１５，１６側とは反対側の端）が、ワッシャ４４よりも取り付けブラケット１５，１６に近くなっている（つまり、外側に位置している）。これにより、荷重検出部３７の変形量を規制するのに確保すべき同径部３６ａの長さ（軸方向における長さ）は、摺動部材４２の可動範囲の分、すなわち、ワッシャ４４の配置位置までの長さがあればよく、同径部３６ａが必要以上に大きくなるのを抑制することが可能になる。
【０１５７】
また、ワッシャ４４は、その内周端部がセンサ３０に備えられた基板ユニット３４の底面よりも径方向内側、外周端部が基板ユニット３４の底面よりも径方向外側となるような大きさに形成されている。すなわち、ワッシャ４４は、センサ３０が取り付けられた状態にあるとき、その径方向において、基板ユニット３４の底面よりも外側まで延設されている。したがって、ワッシャ４４は、上記の配置位置にて、摺動部材４２が延出軸部３１の軸方向の内側へ移動し、基板ユニット３４と干渉するのを抑制する機能を発揮する。
【０１５８】
また、ワッシャ４４の外径は、上述の摺動部材４２の一端側鍔部４２ａの外径よりも大きく形成されている。すなわち、ワッシャ４４は、摺動部材４２の一端側鍔部４２ａの外径よりも径方向外側まで延設されている。このように、摺動部材４２よりもワッシャ４４の外径を大きく形成することにより、摺動部材４２が軸方向に沿って摺動しても、確実にワッシャ４４でその移動を阻止することができる。
【０１５９】
なお、本実施形態ではワッシャ４４はセンサ３０（センサ本体３２）と別体で備えられた構成を示したが、例えば、上記の円環部と一体で形成されていてもよい。ワッシャ４４を一体で形成することにより、構成部品の部品点数を削減することができ、センサ３０の取り付け作業にかかる時間を短縮することができる。
【０１６０】
スペーサ４１は、熱間圧延鋼板からなる円筒部材であり、図１１に示すように、センサ３０が上述の取り付け位置に取り付けられた状態において、取り付けブラケット１５，１６の立壁部５１と摺動部材４２との間の隙間内に配置され、車両用シートＺの幅方向において摺動部材４２との間に僅かな隙間を隔てて、隣り合っている。また、スペーサ４１の中央部には円穴４１ａが形成されており、その径は、センサ３０において位置決め部３５をなす段差部の径よりも一回り大きくなっている。
【０１６１】
上記の形状を有するスペーサ４１は、上記円穴４１ａと挿入孔５２とが同軸円状に重なるように、取り付けブラケット１５，１６の立壁部５１の内側表面にプロジェクション溶接にて接合されている。そして、センサ３０を取り付けるにあたって延出軸部３１を挿入孔５２に挿入する際には、延出軸部３１を、スペーサ４１の円穴４１ａを通じて挿入孔５２内へ導く。また、センサ３０の位置決め部３５が取り付けブラケット１５，１６の立壁部５１に当接してセンサ３０が車両用シートＺの幅方向において位置決めされた時点で、スペーサ４１は、図１１に示すように、延出軸部３１の径方向において位置決め部３５の外側に位置するようになる。
【０１６２】
以上のようにセットされるスペーサ４１は、摺動部材４２が延出軸部３１の軸方向の外側へ過度に移動するのを規制するストッパとして機能する。より具体的に説明すると、摺動部材４２が、延出軸部３１の径方向において荷重検出部３７が形成された円環部の外側に位置した状態から、延出軸部３１の軸方向において外側に移動するとき、スペーサ４１は、摺動部材４２が上記円環部の外側に脱落するのを規制する。
【０１６３】
なお、本実施形態では、スペーサ４１の厚みが比較的大きくなっており、位置決め部３５が取り付けブラケット１５，１６の立壁部５１に当接するまでセンサ３０を挿入孔５２に挿入すると、図１１に示すように、スペーサ４１の厚み方向において内側に位置する端部（すなわち、スペーサ４１の、車両用シートＺの幅方向における摺動部材４２側の端部）が、延出軸部３１の軸方向において、センサ３０の、荷重検出部３７が形成された円環部の自由端部（すなわち、荷重検出部３７の、延出軸部３１の軸方向におけるスペーサ４１側の端部）に差し掛かるようになる。
【０１６４】
換言すると、スペーサ４１の厚み方向内側の端部と、上記円環部の自由端部とは、延出軸部３１の軸方向を法線方向とする同一の仮想平面（図１１にて記号ＶＳで示す）上で重なっていることになる。このような位置関係により、上記円環部の自由端部（荷重検出部３７の、延出軸部３１の軸方向におけるスペーサ４１側の端部）に偏荷重が掛かるのを抑制することが可能になる。
【０１６５】
なお、上記の構成と異なる構成として、センサ３０が取り付けブラケット１５，１６に取り付けられた状態では、スペーサ４１は、センサ３０の荷重検出部３７のシート幅方向外側の端面（自由端３７ｂ）と、センサ３０の径方向（延出軸部３１の軸方向と直交する方向）の仮想平面（図１１の記号ＶＳ）上で重ならないように配設されていてもよい。このような構成でスペーサ４１を取り付けることにより、荷重検出部３７が荷重を受けて変形する際、スペーサ４１が荷重検出部３７に干渉して荷重の検出誤差が低下するのを抑制することができる。
【０１６６】
スペーサ４１は、車両用シートＺを側方から見たとき、前側取付領域２５（または後側取付領域２３）と重なる位置に配設される。すなわち、スペーサ４１は、前側取付領域２５（または後側取付領域２３）の範囲内に備えられる。
上記構成とすることにより、サイドフレーム２ａ（より詳細には、前側取付領域２５、後側取付領域２３）と、サイドフレーム２ａのシート幅方向外側に備えられる取り付けブラケット１５，１６の立壁部５１との距離が小さくなるため、スペーサ４１の厚みを大きくすることなく、好適である。
【０１６７】
なお、本実施形態ではスペーサ４１はセンサ３０（センサ本体３２）や取り付けブラケット１５，１６等とは別体で備えられた構成を示したが、例えば、取り付けブラケット１５，１６の立壁部５１と一体で形成されていてもよい（例えば、立壁部５１の一部がセンサ本体３２側へ膨出するように形成されていてもよい）。このようにスペーサ４１を一体で形成することにより、構成部品の部品点数を削減することができ、センサ３０の取り付け作業にかかる時間を短縮することができる。
【０１６８】
＜センサと車両用シートＺとの位置関係＞
以下では、上述したセンサ３０の取り付け位置について、より詳しく説明するとともに、センサ３０と車両用シートＺ（センサ取付用部品４０を含む）との位置関係について、既出の図５とともに、図１３及び図１４を参照しながら説明する。
【０１６９】
「センサの取付構造」の項で説明した通り、センサ３０の取り付け位置は、第１レール部材（センサ３０から見てより近い方のロアレール１１）の上方に位置する。そして、当該取り付け位置にセンサ３０が取り付けられると、センサ３０のセンサ本体３２（厳密には、センサ本体３２のうち、荷重検出部３７よりも内側に位置する部分）が、車両用シートＺの幅方向においてサイドフレーム２ａ同士の間（換言すると、第１レール部材と第２レール部材の間）に位置するようになる。例えば、図５に示すように、センサ３０に設けられた基板ユニット３４は、サイドフレーム２ａよりも内側に位置するようになる。
【０１７０】
そして、本実施形態では、車両用シートＺが第１レール部材と第２レール部材と、に載置された状態において、センサ３０を上記の取り付け位置に取り付けた際、センサ本体３２における荷重入力部が、車両用シートＺの幅方向において第１レール部材の中央よりも第２レール部材から離れた位置に配置されている。ここで、荷重入力部とは、センサ本体３２に形成された、車両用シートＺ（具体的にはサイドフレーム２ａ）から伝達される荷重を受ける領域であり、本実施形態では、荷重受け面３７ａが荷重入力部に相当する。
【０１７１】
すなわち、本実施形態では、図５に示すように、センサ３０を上記の取り付け位置に取り付けた状態において、荷重入力部たる荷重受け面３７ａが、第１レール部材としてのロアレール１１の幅方向中央（図５において記号Ａにて示す）よりも外側に位置する。このような位置関係により、センサ３０がシート内部の部材（レール部材間に位置する部材であって、例えば、Ｓバネ６や不図示のハーネス）と干渉し難くなるので、車両用シートＺのコンパクト化を良好に達成することが可能となる。
【０１７２】
なお、荷重入力部たる荷重受け面３７ａは、車両用シートＺの幅方向において幅（広がり）を有する。そして、本実施形態では、図５に示すように、荷重受け面３７ａの幅方向外側の端が、第１レール部材としてのロアレール１１の幅方向中央よりも外側に位置する。換言すると、荷重受け面３７ａの、幅方向における第１レール部材が位置する側の端が、幅方向において、第１レール部材の中央よりも第２レール部材から離れた位置に配置されている。
【０１７３】
特に、本実施形態では、荷重受け面３７ａの幅方向中心が、第１レール部材の中央よりも外側に位置している（幅方向において、第１レール部材の中央よりも第２レール部材から離れた位置に配置されている）。その上、荷重受け面３７ａの幅方向内側の端についても、第１レール部材の中央よりも外側に位置している（幅方向において、第１レール部材の中央よりも第２レール部材から離れた位置に配置されている）。以上のような位置関係により、センサ３０とシート内部の部材との干渉を抑制する効果が、より有効に発揮される。
【０１７４】
さらに、本実施形態では、図５に示すように、センサ３０が取り付け位置に取り付けられた状態において、ロアレール１１の幅方向両端の間にセンサ本体３２が収まっている。すなわち、第１レール部材側のセンサ３０を取り付け位置に取り付けた際、センサ本体３２は、車両用シートＺの幅方向において、第１レール部材の、第２レール部材が位置する側の端（図５の点線Ｂ）よりも、第２レール部材から離れた位置に配置されることになる。これにより、センサ３０は、車両用シートＺの幅方向において、シート内部の部材と更に離れるようになるので、センサ３０とシート内部の部材との干渉を更に効果的に抑制することが可能になる。
【０１７５】
以上のようにロアレール１１の幅方向両端の間にセンサ本体３２が収まることにより、ロアレール１１上のスペースを有効利用してセンサ３０を取り付けることが可能になるので、車両用シートＺをよりコンパクトにすることが可能になる。
【０１７６】
また、ロアレール１１の幅方向両端の間にセンサ本体３２が収まっていることから、センサ本体３２に設けられた基板ユニット３４についても、ロアレール１１の幅方向両端の間に収まっていることになる。したがって、センサ３０が取り付け位置に取り付けられると、基板ユニット３４に設けられたコネクタ部３４ａは、第１レール部材の幅方向内側の端（第２レール部材が位置する側の端）より、外側（第２レール部材から離れた位置）に配置されることになる。これにより、コネクタ部３４ａとシート内部の部材との干渉が抑制されるようになり、例えば、コネクタ部３４ａへのハーネスの繋ぎ込みをスムーズに行うことが可能になる。
【０１７７】
また、センサ３０は、取り付け位置に取り付けられた状態において、車両用シートＺの幅方向において、Ｓバネ６（幅方向に複数並ぶＳバネ６のうち、最寄りのＳバネ。以下において同じ）よりも外側に位置しており、換言すると、Ｓバネ６より第２レール部材から離れている。これにより、前述したように、センサ３０とＳバネ６との干渉を効果的に抑制することが可能になる。
【０１７８】
さらに、センサ３０とＳバネ６との干渉をより効果的に抑制する目的から、本実施形態では、図１３に示すように、車両用シートＺの前後方向において、Ｓバネ６を構成する第１湾曲部６ａ及び第２湾曲部６ｂのうち、第２湾曲部６ｂが配置された位置と同じ位置にセンサ３０が配置されている。ここで、第１湾曲部６ａとは、Ｓバネ６のうち、第１レール部材の上に取り付けられるセンサ３０から見て、車両用シートＺの幅方向において第１レール部材に近づくように湾曲している部分である。第２湾曲部６ｂとは、第１レール部材の上に取り付けられるセンサ３０から見て、車両用シートＺの幅方向において第２レール部材に近づくように湾曲している部分である。
【０１７９】
以上のような配置によって、センサ３０とＳバネ６とを離間させることができ、センサ３０とＳバネ６との干渉をより効果的に抑制することが可能となる。なお、本実施形態では、センサ３０とＳバネ６との干渉をより一層効果的に抑制するために、上下方向（車両用シートＺの高さ方向）において、センサ３０の取り付け位置と、Ｓバネ６の配置位置とが互いに異なる位置となっている。
【０１８０】
また、前述したように、センサ３０は、サイドフレーム２ａのうち、外側に突出した領域（具体的には、外方突出部としての後側取付領域２３及び前側取付領域２５）に取り付けられる。これにより、センサ３０の取り付け位置を車両用シートＺの幅方向において更に外側にシフトすることができ、センサ３０とシート内部の部材との干渉を更に効果的に抑制することが可能となる。
【０１８１】
さらに詳細には、図１４に示すように、取り付けブラケット１５に備えられる立壁部５１の少なくとも一部は、前側取付領域２５に対してシート幅方向において重なるように配設されている。すなわち、車両用シートＺを側方から見たとき、前側突出領域２５と立壁部５１とが重なるように配設されている。このように、サイドフレーム２ａの一部（前側突出領域２５）が立壁部５１に近づくように折り曲げられる（膨出している）ことにより、サイドフレーム２ａと取り付けブラケット１５（立壁部５１）との間の距離が近くなり、サイドフレーム２ａ及び立壁部５１に挿通されて取り付けられるセンサ３０をコンパクトに取り付けることができる。
【０１８２】
そして、シート幅方向外側に向かって突出するように形成された前側突出領域２５には、シート幅方向内側の面において凹部２５ｂを備えている。すなわち、前側突出領域２５は、板状に形成されたサイドフレーム２ａの一部をシート幅方向外側に膨出させるように折曲して形成された膨出部である。この膨出部の内側、すなわち、凹部２５ｂの内側にセンサ３０が配設されることによってセンサ３０が車両用シートＺの幅方向外側にシフトして配設されることになる。換言すると、センサ３０が、車両用シートＺの幅方向において少なくとも一部が前側突出領域２５の凹部２５ｂ内に配設される。
【０１８３】
上記構成により、センサ３０が着座フレーム２のシート幅方向内側において、可能な限りシート幅方向外側となる位置で取り付けられるため、センサ３０の周辺部の空間が広くなり、着座フレーム２のシート幅方向内側に取り付けられる部材（例えば、ハーネスやＳバネ６等）とセンサ３０とが干渉しにくくなる。
【０１８４】
本実施形態では、また、車両用シートＺを第１レール部材及び第２レール部材に載置した状態で、センサ３０を取り付け位置に取り付けると、図１４に示すように、センサ３０が、延出軸部３１が車両シートの幅方向に沿った状態で、車両用シートＺの前後方向においてサブマリン抑制パイプ４の幅方向中央部４ａと同じ位置に位置するようになる。
【０１８５】
換言すると、センサ３０を取り付け位置に取り付けた際、サブマリン抑制パイプ４の幅方向中央部４ａは、前後方向においてセンサ３０が存在する位置に配置される。一方、サブマリン抑制パイプ４の幅方向端部４ｂ（センサ３０が位置する側の端部）は、前後方向においてセンサ３０の前方に回り込み、延出軸部３１に沿うように配置される。センサ３０とサブマリン抑制パイプ４との位置関係が上記の位置関係を満たすことにより、センサ３０との干渉を抑制してサブマリン抑制パイプ４を設けることが可能になる。
【０１８６】
なお、本実施形態では、サブマリン抑制パイプ４の幅方向端部４ｂが車両用シートＺの前後方向においてセンサ３０の前方に回り込むこととしたが、これに限定されるものではなく、サブマリン抑制パイプ４の幅方向端部４ｂが前後方向においてセンサ３０の後方に回り込むこととしてもよい。
【０１８７】
また、連結部材としてのサブマリン抑制パイプ４は、図９に示すように、その軸心（中心軸）４ｄが延出軸部３１の軸心（中心軸）３１ｅよりも前方に配設されており、サブマリン抑制パイプ４の少なくとも一部は、センサ３０の上端（図９において点線Ｅで示す）よりも下方になるように配設されている。サブマリン抑制パイプ４の軸心４ｄを延出軸部３１の軸心３１ｅに対し、車両用シートＺの前後方向で一致するように配設すると、サブマリン抑制パイプ４がセンサ３０の真上（または真下）に配設されてしまい、サブマリン抑制パイプ４とセンサ３０とが高さ方向で大型化する。
一方、上記のように、サブマリン抑制パイプ４の軸心４ｄを延出軸部３１の軸心３１ｅの前方（あるいは後方）とすることにより、サブマリン抑制パイプ４が延出軸部３１に対して真上（または真下）に配設されるのを回避でき、サブマリン抑制パイプ４とセンサ３０が高さ方向で一部重なるように配設することができる。その結果、車両用シートＺが高さ方向で大型化するのを抑制することができる。
【０１８８】
なお、上記説明では、サブマリン抑制パイプ４の構成について説明したが、サブマリン抑制パイプ４の後方に設けられた連結パイプ３も、その軸心が車両用シートＺの後方側に備えられたセンサ３０の延出軸部３１の軸心に対して前後方向で一致しない位置に配設されている。より詳細には、連結パイプ３の軸心が延出軸部３１の後方に備えられており、連結パイプ３とセンサ３０とが高さ方向で一部重なるように配設されており、高さ方向で大型化するのを抑制している。
【０１８９】
また、図１４に示すように、連結部材としてのサブマリン抑制パイプ４と、サイドフレーム２ａが連結される部分は、サイドフレーム２ａ上において、前側取付領域２５を避けた位置に形成されている。すなわち、サブマリン抑制パイプ４の幅方向端部４ｂは、前側取付領域２５以外の部分においてサイドフレーム２ａと連結される。このように、車両用シートＺの幅方向で離間して配設されたサイドフレーム２ａ同士を連結するサブマリン抑制パイプ４は、サイドフレーム２ａ間の距離が大きくなる部分（すなわち、前側取付領域２５）以外の箇所でサイドフレーム２ａ間に架設されるため、サブマリン抑制パイプ４が長尺化するのを抑制することができる。したがって、車両用シートＺを軽量化することができる。
さらに、サブマリン抑制パイプ４は、対向するサイドフレーム２ａ間の距離が短い部分において架設されるため、着座フレーム２の剛性を向上させることができる。
【０１９０】
サブマリン抑制パイプ４は、図４、図１４等において示すように、サイドフレーム２ａの車両用シートＺの幅方向外側面からシート幅方向外側へ向かって貫通した状態で架設されている。この場合において、サブマリン抑制パイプ４が突出する部分は、前側取付領域２５の突出範囲内で収まるように形成されている。すなわち、サブマリン抑制パイプ４の側方突出部は、サイドフレーム２ａの前側取付領域２５のシート幅方向外側面よりもシート幅方向内側に収まるように形成されている。
上記構成とすることにより、サブマリン抑制パイプ４が車両用シートＺの幅方向において大型化せず、以て車両用シートＺを幅方向に大型化せず、軽量化することができる。
【０１９１】
なお、上記説明では、サブマリン抑制パイプ４の構成について説明したが、サブマリン抑制パイプ４の後方においてサイドフレーム２ａ間に架設される連結パイプ３も同様に、後側取付領域２３を避けた位置に配設されているため、連結パイプ３もまた長尺化するのを抑制することができると共に、着座フレーム２の剛性向上に寄与する。
【０１９２】
また、サブマリン抑制パイプ４とサイドフレーム２ａが連結される部分と、センサ３０が配設される部分との間（より詳細には、車両用シートＺの前後方向において、サブマリン抑制パイプ４とサイドフレーム２ａが連結される部分と、センサ３０との間）には、上述のように、上方に向かって切り欠かれた凹部２ａｘが形成されている。上記のように、凹部２ａｘはサイドフレーム２ａにおいて形成された切欠き部であり、サイドフレーム２ａを軽量化することができる。
【０１９３】
さらに、上方に向かって切り欠かれた凹部２ａｘを備えることにより、サイドフレーム２ａの下方に備えられたセンサ３０の取付状態を、車両用シートの前後方向から視認しやすくなる。さらに、サブマリン抑制パイプ４が凹部２ａｘの近傍に備えられる構成となるため、サイドフレーム２ａにおいて、凹部２ａｘの近傍の剛性が低下するのを抑制することができる。すなわち、凹部２ａｘの近傍にサブマリン抑制パイプ４が連結されることにより、サイドフレーム２ａを一部切り欠くことにより形成された凹部２ａｘに起因してサイドフレーム２ａの剛性が低下するのを抑制することができる。
【０１９４】
また、センサ３０を取り付け位置に取り付けた際、センサ３０に設けられた基板ユニット３４は、サイドフレーム２ａよりも内側に位置するようになる。つまり、基板ユニット３４中の基板は、延出軸部３１の軸方向において、サイドフレーム２ａから見て取り付けブラケット１５，１６が位置する側とは反対側に位置するようになる。かかる状態において、基板とサイドフレーム２ａとの間隔（換言すると、基板ユニット３４とサイドフレーム２ａとの間隔）は、サイドフレーム２ａと取り付けブラケット１５，１６との間隔よりも大きくなっている。これにより、基板とサイドフレーム２ａとの接触が抑制されるとともに、センサ３０の取り付け位置がより外側にシフトされるので、車両用シートＺを一層コンパクト化することが可能となる。
【０１９５】
次に、センサ３０とセンサ取付用部品４０との位置関係を説明する。
センサ３０を取り付け位置に取り付けた際、摺動部材４２は、荷重検出部３７の外側端（すなわち、延出軸部３１の軸方向における取り付けブラケット１５，１６側の端）よりも内側に配置されている（換言すると、取り付けブラケット１５，１６からより離れた位置に配置されている）。つまり、本実施形態では、センサ３０を取り付け位置に取り付けた状態において、荷重検出部３７の外側端に摺動部材４２が掛かっていない。したがって、荷重検出部３７の外側端付近の様子（異物の有無等）を確認することが可能になる。
【０１９６】
なお、前述したように、本実施形態では、スペーサ４１の厚み方向における内側端が、荷重検出部３７の外側端に差し掛かっていることとしたが、荷重検出部３７の外側端付近の様子を確認し易くするために、スペーサ４１の厚み方向における内側端が、荷重検出部３７の外側端よりも外側に位置していることとしてもよい。
【０１９７】
また、車両用シートＺが第１レール部材（幅方向一端側のロアレール１１）と第２レール部材（幅方向他端側のロアレール１１）とに載置され、センサ３０が取り付け位置に取り付けられた状態において、規制部たる同径部３６ａは、第１レール部材の幅方向中央よりも、第２レール部材から離れた位置に配置されている。これにより、センサ３０（具体的には、荷重検出部３７）が更に外側に配置されるようになり、シート内部の部材とセンサ３０との干渉をより効果的に抑制することが可能になる。
【０１９８】
＜延出軸部の改良例＞
上記の実施形態では、延出軸部３１の軸方向断面が真円形状であることとした。一方、センサ３０を取り付けるにあたり、重ね合された２つの穴（挿入孔５２及び穴部２１）にセンサ３０を延出軸部３１側から挿入して車両用シートＺの幅方向において位置決めした時点で、センサ３０の状態は、延出軸部３１の周方向において所定位置に位置した状態にある。この所定位置にて、荷重検出部３７及び荷重受け面３７ａが、荷重の伝達方向においてサイドフレーム２ａの略真下に位置するようになり、荷重を適切に受けることが可能になる。
【０１９９】
ところで、センサ３０が車両シートの幅方向で位置決めされた時点では、延出軸部３１の隣接部３１ｂが取り付けブラケット１５，１６の挿入孔５２に嵌合しているものの、センサ３０は、延出軸部３１を中心にして、取り付けブラケット１５，１６に対して相対回転することが可能な状態にある。そして、センサ３０が取り付けブラケット１５，１６に対して相対回転すると、これに伴って、荷重検出部３７及び荷重受け面３７ａが当該回転方向に移動してしまう。荷重受け面３７ａの変動は、荷重に対する荷重受け面３７ａの向きが変えることを意味し、これによって、センサ３０の荷重測定精度に悪影響が及ぶことになる。
【０２００】
このため、センサ３０を取り付けるにあたって取り付けブラケット１５，１６に形成された挿入孔５２に延出軸部３１を挿入する場合、取り付け後には、センサ３０が取り付けブラケット１５，１６に対して相対回転するのを抑制する必要がある。ただし、取り付けブラケット１５，１６に対するセンサ３０の相対回転を規制するにあたり、センサ３０や取り付けブラケット１５，１６において局所的に力（接触圧力）が掛かると、延出軸部３１が抉られて、取り付けブラケット１５，１６が削れてしまう虞がある。そして、かかる状況が続くと、最終的に、取り付けブラケット１５，１６に対するセンサ３０の相対回転を規制することができなくなってしまう可能性がある。
【０２０１】
そこで、センサ３０の相対回転を抑える手段として、図１５に示すように、延出軸部３１の軸部本体に、軸部本体の外周から径方向外側に突出した凸部を設けることが考えられる。ここで、軸部本体とは、延出軸部３１のうち、凸部を除く部分のことであり、本実施形態では、雄ネジ部３１ａに隣接する隣接部３１ｂのことである。
【０２０２】
センサ３０の相対回転を抑える上記の手段について詳述すると、延出軸部３１の軸部本体の外周には、延出軸部３１の周方向において、互いに異なる位置に複数の凸部が設けられており、本実施形態では、２つの凸部３１ｃ，３１ｄを設けることとした。
【０２０３】
一方、挿入孔５２の内周面には、上記２つの凸部３１ｃ，３１ｄと対応する凹部５２ａ，５２ｂが形成され、それぞれの凸部３１ｃ，３１ｄが対応する凹部５２ａ，５２ｂに係合するように延出軸部３１が挿入孔５２に挿入される。この結果、延出軸部３１が挿入孔５２に挿入された状態において、センサ３０が取り付けブラケット１５，１６に対して延出軸部３１を中心に相対回動した際、上記の凸部３１ｃ，３１ｄが、挿入孔５２の内周面に形成された凹部５２ａ，５２ｂの一側面（すなわち、取り付けブラケット１５，１６の、挿入孔５２の縁面）に係止される。これにより、センサ３０の相対回転が抑制されることになる。
【０２０４】
以上のように、本実施形態において、凸部３１ｃ，３１ｄは、センサ３０の相対回転を規制するために設けられたものである。ただし、これに限定されず、たとえば、延出軸部３１の軸部本体の外周方向においてセンサ３０の位置を規定するために（すなわち、位置決めするために）凸部３１ｃ，３１ｄを設けることとしてもよい。
【０２０５】
なお、凸部３１ｃ，３１ｄと対応させて凹部５２ａ，５２ｂが形成されていれば、それぞれの凸部３１ｃ，３１ｄは、取り付けブラケット１５，１６の、挿入孔５２の縁面に係止される際に、該縁面と面接触する。これにより、上述の課題（延出軸部３１が挿入孔５２の内周面に対してエッジにて当接して抉られるようになるという課題）が解決される。なお、本実施形態では、凸部３１ｃ，３１ｄが取り付けブラケット１５，１６の、挿入孔５２の縁面と面接触できるように、凹部５２ａ，５２ｂを設けることとしたが、面接触できればよく、凹部５２ａ，５２ｂに代わる構造にて面接触させることとしてもよい。
【０２０６】
また、凹部５２ａ，５２ｂのうち、少なくとも１つは、延出軸部３１が挿入孔５２に挿入された状態において軸部本体の上側に位置する。換言すると、本実施形態では、延出軸部３１が挿入孔５２に挿入された状態において軸部本体の上側に位置し、凸部が係合可能な凹部が、取り付けブラケット１５，１６の、挿入孔５２の縁面に形成されている。これにより、センサ３０の取付状態（とりわけ、車両用シートＺの幅方向におけるセンサ３０の位置決め状態）を確認することが容易になる。
【０２０７】
また、本実施形態では、軸部本体の外周の互いに異なる位置に、複数（本実施形態では、２つ）の凸部３１ｃ，３１ｄが形成されている。これにより、センサ３０の相対回転を抑える効果がより一層効果的に発揮される。この際、各凸部３１ｃ，３１ｄは、軸部本体の外周の周方向において一定間隔毎に（本実施形態では、約１８０度ずれて）配置されていることが望ましい。
【０２０８】
さらに、本実施形態では、２つの凸部３１ｃ，３１ｄの各々の形状（サイズを含む）が互いに異なっており、これにより、誤ってセンサ３０を組み付けるのを回避することが可能になる。
【０２０９】
また、本実施形態では、２つの凸部のうち、軸部本体の外周の周方向において荷重がより大きく掛かる側の凸部３１ｃは、周方向において荷重がより小さく掛かる側の凸部３１ｄよりも大きくなっている。ここで、軸部本体の外周の周方向において荷重がより大きく（小さく）掛かる側とは、外周の周方向において互いに異なる２点のうち、荷重の伝達方向から見てより下流（上流）に位置する側のことである。
【０２１０】
より具体的に説明すると、センサ３０の、荷重検出部３７が形成された円環部の外周と、荷重検出部３７に掛かる荷重の伝達経路（直線経路）との交点は、上記円環部の外周上に２つ存在する。そのうち、下方に位置する交点（下側交点）は、荷重がより大きく掛かる側の交点であり、軸部本体の外周面の周方向において下側交点に相当する位置に形成された凸部３１ｃは、荷重がより大きく掛かる側の凸部となる。一方、上方に位置する交点（上側交点）は、荷重がより小さく掛かる側の交点であり、軸部本体の外周面の周方向において下側交点に相当する位置に形成された凸部３１ｄは、荷重がより小さく掛かる側の凸部となる。
【０２１１】
このように、荷重がより大きく掛かる側の凸部について、よりサイズを大きくしておけば、より剛性が高くなるので、例え荷重がより大きく掛かることになったとしても安定的にセンサ３０の相対回転を規制することが可能になる。なお、荷重がより大きく掛かる側の凸部について剛性を高めるには、サイズを大きくすることの他、例えば、剛性を高くするための表面処理やコーティングを施すこととしてもよい。
【０２１２】
また、本実施形態において、凸部３１ｃ，３１ｄは、延出軸部３１のうち、隣接部３１ｂの外周から突出しているとともに、センサ３０の位置決め部３５である段差部と繋がっている。すなわち、本実施形態では、上記の段差部と凸部３１ｃ，３１ｄとが、前記軸方向において連続しており一体となっている。このような構成になっていれば、軸体を加工して凸部３１ｃ，３１ｄを形成する場合、比較的容易に凸部３１ｃ，３１ｄを形成することが可能になる。
【０２１３】
さらに、本実施形態では、延出軸部３１の径方向における延出軸部３１の中心から凸部３１ｃ，３１ｄの先端までの長さが、センサ３０の位置決め部３５である段差部の外径以下となっている（本実施形態では、段差部の外径より小さくなっている）。これにより、段差部によるセンサ３０の位置決めを容易に行いつつ、センサ３０の相対回転を抑制することが可能になる。なお、延出軸部３１の中心から凸部３１ｃ，３１ｄの先端までの長さについては、上記の段差部の外径と同等であってもよい。この場合、延出軸部３１の中心から凸部３１ｃ，３１ｄの先端までの長さが段差部の外径より小さい場合と比較して、段差部によるセンサ３０の位置決めの容易性が若干劣るものの、成型のし易さや剛性確保の観点では優れている。
【０２１４】
また、凸部３１ｃ，３１ｄに過大な荷重が掛かるのを抑制する上で、延出軸部３１の雄ネジ部３１ａに螺合されるナットの外径については、挿入孔５２の径よりも大きい方が望ましい。
【０２１５】
＜＜その他の実施形態＞＞
上記の実施形態では、本発明の荷重測定センサの取付構造として、車両用シートＺに乗員が着座した際の荷重を測定する荷重測定センサの取付構造を一例に挙げて説明した。しかし、上記の実施形態は、本発明の理解を容易にするためのものであり、本発明を限定するものではない。本発明は、その趣旨を逸脱することなく、変更、改良され得ると共に、本発明にはその等価物が含まれることはもちろんである。また、上述した材質や形状等は本発明の効果を発揮させるための一例に過ぎず、本発明を限定するものではない。
【０２１６】
例えば、上記の実施形態では、荷重検出部３７の変形量を歪みセンサで検知して荷重を測定するセンサ３０を例に挙げたが、これに限定されるものではなく、荷重検出部３７の変形に伴って変位する磁石と、該磁石に対向するホール素子を備えた荷重測定センサであってもよい。かかる構成の荷重測定センサは、荷重検出部３７が変形すると、これに伴って上記の磁石が変位し、ホール素子がその変位量を計測し、その計測結果から荷重が測定される。
【０２１７】
また、上記の実施形態では、センサ３０を取り付ける際に、センサ３０の延出軸部３１を取り付けブラケット１５，１６の挿入孔５２に挿入し、雄ネジ部３１ａを取り付けブラケット１５，１６の外側に突出させて、最終的に雄ネジ部３１ａにナット３９を螺合させることとした。ただし、これに限定されるものではなく、例えば、センサ３０を取り付けるにあたり、延出軸部３１の先端を取り付けブラケット１５，１６の外側に突出させなくともよい。すなわち、延出軸部３１が挿入孔５２に挿入された状態において、延出軸部５１の先端が、挿入孔５２の一端側開口（延出軸部３１が挿入された側の開口）と、一端側開口の反対側に位置する他端側開口との間に位置した構成であってもよい。かかる構成であれば、延出軸部３１のうち、取り付けブラケット１５，１６から突出した部分（換言すると、上記のナット３９）が他の部材と干渉するのを抑制することが可能になる。
【０２１８】
また、上記の実施形態では、センサ３０が取り付けられた取り付けブラケット１５，１６が、アッパレール１２に取り付けられた構成を示したが、取り付けブラケット１５，１６が取り付けられる他部品としては、車体フロア等が挙げられる。すなわち、取り付けブラケット１５，１６は、車体フロアに直接取り付けられていてもよい。さらに、ボルト１８ａ，１８ｂがセンサ３０を介して前後方向において対向して取り付けられた構成を示したが、ボルト１８ａ，１８ｂは、センサ３０を介してシート幅方向において対向して取り付けられた構成としてもよい。
【０２１９】
さらに、上記の実施形態では、取り付けブラケット１５，１６を取り付けるための取り付け部材１８が、アッパレール１２に対して取り付けられる構成を示したが、サイドフレーム２ａに対して取り付け部材１８を取り付ける構成としてもよい。すなわち、サイドフレーム２ａに対してボルト１８ａ，１８ｂを取り付け、ボルト１８ａ，１８ｂがセンサ３０の両脇に取り付けられる構成としてもよい。このとき、特に、ボルト１８ａ，１８ｂを車両用シートＺの幅方向内側に突出させるように配設する場合は、ボルト１８ａ，１８ｂの上端の高さを揃える構成とするとよい。
さらにまた、上記の実施形態では、ボルト１８ａ，１８ｂは、アッパレール１２のように、水平面に対して取り付ける構成を示したが、鉛直方向に延びる面に対し取り付けられていてもよい。
【０２２０】
また、上記の実施形態では、クッション体を支持する支持ばねとしてＳバネ６が設けられていることとした。そして、上記の実施形態では、センサ３０とＳバネ６との干渉を避けるために、極力Ｓバネ６から離間した位置にセンサ３０を配置することとした。ただし、これに限定されるものではなく、パンフレーム（板金部材）等、支持ばねに代わる乗員姿勢支持部材が設けられている構成であってもよい。かかる構成においても、車両用シートＺのコンパクト化を達成する上で、上記乗員姿勢支持部材から極力離すようにセンサ３０を取り付けることが望ましい。
【０２２１】
また、上記の実施形態では、サイドフレーム２ａからセンサ本体３２（具体的には、荷重検出部３７）への荷重伝達をより適切に行うために、ブッシュ４３や摺動部材４２を設け、サイドフレーム２ａは、ブッシュ４３や摺動部材４２を介して荷重検出部３７を押圧することとした。ただし、これに限定されるものではなく、ブッシュ４３や摺動部材４２が設けられておらず、サイドフレーム２ａが荷重検出部３７と直接接触して荷重検出部３７を押圧する構成であってもよい。また、ブッシュ４３や摺動部材４２に代わる他の中継部材が、サイドフレーム２ａからセンサ本体３２への荷重伝達経路内に設けられていることとしてもよい。
【０２２２】
なお、上記の実施形態において、摺動部材４２は、荷重検出部３７の変形に伴って動く可動部に相当したが、例えば、サイドフレーム２ａが荷重検出部３７と直接接触して荷重検出部３７を押圧する構成においては、サイドフレーム２ａ自体が可動部に該当することとなる。
【０２２３】
また、上記の実施形態では、シートの一例として車両用シートＺを例に挙げたが、これに限定されるものではなく、航空機や船舶等、他の乗物用シートに対しても本発明は適用可能である。さらに、乗物用に限定されず、荷重測定を必要とするシートであれば、本発明が適用可能である。
【符号の説明】
【０２２４】
１  シートバックフレーム、２  着座フレーム、２ａ  サイドフレーム、
２ａｘ  凹部（除去部）、２ａｙ  フランジ部、
３  連結パイプ（連結部材）、
４  サブマリン抑制パイプ（連結部材）、４ａ  幅方向中央部、４ｂ  幅方向端部、
４ｃ  連結部、４ｄ  軸心、
５  架設パン（板状フレーム）、５ａ  取り付け部、
６  Ｓバネ、６ａ  第１湾曲部、６ｂ  第２湾曲部、
１０  レール部材、１１  ロアレール（レール部材）、１２  アッパレール（レール部材）、
１３  支持ブラケット、１４  メンバフレーム、１５  取り付けブラケット、
１６  取り付けブラケット、１７  スライドレバー、
１８  取り付け部材、１８ａ  ボルト（第１の取り付け部材）、
１８ｂ  ボルト（第２の取り付け部材）、１８ｃ，１８ｄ，１８ｅ  ピン、
２０  先端部、２１  穴部、２２  連結領域（連結部）、
２３  後側取付領域（外方突出部）、２３ａ  張り出し部、２４  前端領域、
２５  前側取付領域（外方突出部）、２５ａ  張り出し部、２５ｂ  凹部、
２６  中間領域、２６ａ  下部、２６ｂ  上部、２６ｃ  後側隣接部位、
２６ｄ  前側隣接部位、
３０  センサ、３１  延出軸部、３１ａ  雄ネジ部、３１ｂ  隣接部、
３１ｃ  凸部、３１ｄ  凸部、３１ｅ  軸心、
３２  センサ本体、３３  軸体、３４  基板ユニット、３４ａ  コネクタ部、
３５  位置決め部、３６  収容軸部、３６ａ  同径部、３６ｂ  異径部、
３７  荷重検出部、３７ａ  荷重受け面、３７ｂ  自由端、３９  ナット（締結部材）、
４０  センサ取付用部品、４１  スペーサ、４１ａ  円穴、
４２  摺動部材、４２ａ  一端側鍔部、
４２ｂ  嵌合筒部、４２ｃ  他端側鍔部、４２ｄ  貫通孔、
４３  ブッシュ、４３ａ  円筒部、４３ｂ  鍔部、４３ｃ  貫通穴、
４４  ワッシャ、
５０  底壁部、５０ａ  延出部、５１  立壁部、５１ａ  凹部、５１ｂ  凸部、
５２  挿入孔、５２ａ  凹部、５２ｂ  凹部、
５３  上方突出壁、５４  除去部、５５  内側フランジ部、５６  後端突出壁、
１０１  シートフレーム、１１１  ロアレール、１１２  アッパレール、
１３０  荷重測定センサ、１３１  軸部、
Ｆ  シートフレーム、Ｓ  シートユニット、Ｚ  車両用シート（シート）
【図１】
2013035522.tif 000003
【図２】
2013035522.tif 000004
【図３】
2013035522.tif 000005
【図４】
2013035522.tif 000006
【図５】
2013035522.tif 000007
【図６Ａ】
2013035522.tif 000008
【図６Ｂ】
2013035522.tif 000009
【図７】
2013035522.tif 000010
【図８】
2013035522.tif 000011
【図９】
2013035522.tif 000012
【図１０】
2013035522.tif 000013
【図１１】
2013035522.tif 000014
【図１２】
2013035522.tif 000015
【図１３】
2013035522.tif 000016
【図１４】
2013035522.tif 000017
【図１５】
2013035522.tif 000018
【図１６】
2013035522.tif 000019
【図１７】
2013035522.tif 000020